(57)【特許請求の範囲】
【請求項１】
遊技機の遊技盤に直接又は他部材を介して間接的に固定され、前記遊技盤の盤面と直交する前後方向において少なくとも前記遊技盤の前方側に、前記遊技盤の盤面に沿って流下する遊技球を下方側に進入させつつ取り込む誘導口と、前記誘導口の下方に続く誘導路とが形成されてなる筐体と、
少なくとも前記盤面の前方側において前記誘導口を閉鎖可能な閉鎖部を備え、前記閉鎖部によって前記誘導口を閉鎖状態とする閉鎖位置と、前記誘導口を前記閉鎖状態よりも前記遊技球が進入しやすい開放状態とする開放位置とで変位する構成をなし、前記開放位置にある前記閉鎖部が、前記閉鎖位置から前記筐体内の前記誘導路側に入り込むように前記盤面に沿って下方側に沈下した位置となるように構成される開閉部材と、
前記開閉部材と連動可能に構成され、前記開閉部材を前記閉鎖位置で保持する保持位置と、前記保持位置から退避した退避位置とで変位する支持部材と、
前記支持部材を前記保持位置と前記退避位置とで変位させる駆動手段と、
を備え、
前記筐体には、前記遊技盤の盤面に沿って配置されると共に前記開閉部材が前記閉鎖位置にあるときに当該開閉部材の下流側に隣接して配置される下流側誘導樋が形成され、
前記下流側誘導樋の上流側の端部が前記誘導口の一部として構成されており、
前記開閉部材が前記閉鎖位置にあるときに、前記開閉部材の上面部及び前記下流側誘導樋の上面部によって前記開閉部材を上流側とし前記下流側誘導樋を下流側とするように外部流路が構成され、
前記開閉部材には、前記支持部材に支持されると共に当該開閉部材が前記閉鎖位置と前記開放位置とで変位する際に所定の移動方向に変位する被作用部が形成され、
前記支持部材には、前記被作用部を支持すると共に前記被作用部の移動方向と交差する方向に変位する作用部が形成されており、
前記開閉部材が前記閉鎖位置にある状態で当該開閉部材を前記開放位置に変位させようとする外力が加わったときに前記所定の移動方向に変位しようとする前記被作用部を前記支持部材の前記作用部が支持し続けることで、前記開閉部材の変位が規制されて前記開閉部材の開放が阻止されることを特徴とする遊技機用可変入賞装置。
【請求項２】
前記開閉部材は、前記遊技盤の盤面と交差し前記誘導口の一端側寄りに形成された回動軸を中心として回動可能に配されると共に、前記閉鎖部が前記回動軸の径方向に延設された板状形態をなし、かつ、当該閉鎖部が前記閉鎖位置のときよりも下方に回動変位して前記開放状態となるように構成されており、
前記支持部材は、前記保持位置において前記作用部が前記被作用部と当接することにより、前記開閉部材が前記外力に応じて前記開放位置に変位することを規制することを特徴とする請求項１に記載の遊技機用可変入賞装置。
【請求項３】
前記駆動手段は、駆動源と、該駆動源に対して相対移動する駆動変位部とを備え、
前記支持部材は、前記駆動変位部と一体的に移動可能に構成され、前記駆動変位部の変位に応じて直線的に往復動するように構成されており、
前記開閉部材は、前記支持部材が前記退避位置にあるときに当該支持部材による支持が解除された状態で前記開放位置で維持され、前記支持部材が前記退避位置から前記保持位置に向けて直線的に動作したときに当該支持部材によって押圧されることにより前記閉鎖位置に変位し、且つ当該閉鎖位置で前記支持部材に支持され続けることを特徴とする請求項１又は請求項２に記載の遊技機用可変入賞装置。
【請求項４】
前記筐体には、前記遊技盤の盤面に沿って配置されると共に前記開閉部材が前記閉鎖位置にあるときに当該開閉部材の上流側に隣接して配置される上流側誘導樋が形成され、
前記上流側誘導樋の下流側の端部が前記誘導口の一部として構成されており、
前記開閉部材が前記閉鎖位置にあるときに、前記開閉部材の上面部及び前記上流側誘導樋の上面部によって前記上流側誘導樋を上流側とし前記開閉部材を下流側とするように外部流路が構成されるようになっていることを特徴とする請求項１から請求項３のいずれか一項に記載の遊技機用可変入賞装置。
【請求項５】
前記駆動手段は、少なくとも一部が前記上流側誘導樋の下方に配置され、且つ前記遊技盤の後面よりも前側の領域に配置されていることを特徴とする請求項４に記載の遊技機用可変入賞装置。
【請求項６】
前記筐体の内部には、前記誘導口側を上流側として当該誘導口から進入する遊技球を下流側に設けられた排出部へ誘導するように前記誘導路が形成されており、
更に、前記下方側誘導樋の下方に配置され、且つ前記遊技盤の後面よりも前側の領域に、前記誘導路を通過する遊技球を検出する球検出部が設けられていることを特徴とする請求項１から請求項５のいずれか一項に記載の遊技機用可変入賞装置。
【請求項７】
前記球検出部は、当該球検出部の上面部側から下面部側に連通するように遊技球通過孔が形成され、当該遊技球通過孔を通過する遊技球を検出するように構成されており、更に、前記上面部の前端側が後端側よりも下方位置となるように傾斜した状態で前記筐体内に保持されていることを特徴とする請求項６に記載の遊技機用可変入賞装置。
【請求項８】
前記開閉部材の上面部における前記下流側誘導樋寄りの端部に前記下流側誘導樋に近づくにつれて低位置となるように傾斜するテーパ部が形成される構成、及び前記下流側誘導樋の下面部における前記開閉部材寄りの端部に前記開閉部材から離れるにつれて低位置となるように傾斜するテーパ部が形成される構成、の少なくともいずれかの構成が用いられていることを特徴とする請求項１から請求項７のいずれか一項に記載の遊技機用可変入賞装置。
【請求項９】
前記筐体の内部には、前記誘導口側を上流側として当該誘導口から進入する遊技球を下流側に設けられた排出部へ誘導するように前記誘導路が形成されており、
前記開閉部材は、前記遊技盤の盤面と交差し前記誘導口の一端側寄りに形成された回動軸を中心として回動可能に配されると共に、前記閉鎖部が前記回動軸の径方向に延設された板状形態をなし、かつ、当該閉鎖部が前記閉鎖位置のときよりも下方に回動変位して前記開放状態となるように構成され、更に、前記閉鎖部における前記回動軸とは反対の端部側から下方に突出する下方突出部が設けられており、前記閉鎖位置にあるときに前記下方突出部が前記誘導路の上流側を閉鎖し、前記開放位置となったときに前記下方突出部が前記誘導路から退避して当該誘導路と前記誘導口とを連通させることを特徴とする請求項１から請求項８のいずれか一項に記載の遊技機用可変入賞装置。
【請求項１０】
前記筐体には、前記遊技盤の盤面に隣接して配置される台板と、前記台板の前方側において当該台板と対向して配置される前飾り板とが設けられており、
前記駆動手段は、駆動源と、該駆動源に対して相対移動する駆動変位部とを備え、少なくとも前記駆動手段の前記駆動変位部と前記支持部材とが、前記筐体内において前記前飾り板と前記台板とによって前後が閉鎖された閉鎖空間に収容されていることを特徴とする請求項１から請求項９のいずれか一項に記載の遊技機用可変入賞装置。
【請求項１１】
前記支持部材の少なくとも下方側において当該支持部材をガイドするガイド部が設けられており、
前記支持部材は、下面側が前記ガイド部によって支持される構成をなし、且つ前記保持位置にあるときに上面側で前記開閉部材を支持するように構成されていることを特徴とする請求項１から請求項１０のいずれか一項に記載の遊技機用可変入賞装置。
【請求項１２】
前記支持部材は、前記開閉部材の下方において前記前後方向に沿った揺動軸線周りで揺動し得る構成をなし、前記揺動軸線の上方側に延出して配される先端部分が前記作用部として構成されると共に前記揺動軸線周りの揺動に応じて前記被作用部の移動方向と交差する方向に変位するように構成されており、
前記支持部材が前記保持位置にあるときには、前記作用部が、前記開閉部材における前記被作用部の下方において前記揺動軸線の真上の位置又はその近傍に保持されることで、前記開閉部材の沈下を規制し、
前記支持部材が前記退避位置となったときには、前記作用部が前記揺動軸線の真上の位置近傍から退避することで前記開閉部材が下方側に沈下可能となることを特徴とする請求項１から請求項１０のいずれか一項に記載の遊技機用可変入賞装置。
【請求項１３】
前記開閉部材は、前記遊技盤の盤面と交差し前記誘導口の一端側寄りに形成された回動軸を中心として回動可能に配されると共に、前記閉鎖部が前記回動軸の径方向に延設された板状形態をなし、かつ、当該閉鎖部が前記閉鎖位置のときよりも下方に回動変位して前記開放状態となるように構成されており、
前記支持部材の前記作用部を、前記回動軸から遠ざかる方向に付勢する付勢手段を備え、
前記駆動手段は、前記付勢手段による付勢に抗して前記作用部を前記回動軸側に移動可能とされ、
前記開閉部材の下面側には、前記支持部材の前記作用部が前記被作用部を超えて前記回動軸側とは反対側に移動することを規制するストッパーが形成されており、
前記支持部材が前記保持位置にあるときには、当該支持部材の前記作用部が前記付勢手段によって付勢されつつ前記ストッパーに当接することで、前記揺動軸線の真上の位置又はその近傍で保持されることで、開閉部材の沈下を規制し、
前記支持部材が前記退避位置となったときには、前記作用部が前記揺動軸線の真上の位置又はその近傍よりも前記回動軸に近づくように退避することで前記開閉部材が下方側に沈下可能となることを特徴とする請求項１２に記載の遊技機用可変入賞装置。
【請求項１４】
前記開閉部材は、前記遊技盤の盤面と交差し前記誘導口の一端側寄りに形成された回動軸を中心として回動可能に配されると共に、前記閉鎖部が前記回動軸の径方向に延設された板状形態をなし、かつ、当該閉鎖部が前記閉鎖位置のときよりも下方に回動変位して前記開放状態となるように構成され、更に前記閉鎖部における前記回動軸とは反対の端部と前記回動軸との間に前記被作用部が設けられており、
前記支持部材は、
前記遊技球の流下方向を上下方向とし、当該上下方向及び前記前後方向と直交する方向を左右方向としたとき、前記左右方向において前記回動軸よりも前記被作用部側に前記作用部が設けられ、
更に、前記左右方向において前記回動軸よりも前記作用部側とは反対側に延出する構成で前記作用部と一体的に延出部が形成されており、
前記保持位置にあるときには、前記閉鎖位置にある前記開閉部材の前記被作用部を前記作用部によって支持し、
前記保持位置から前記退避位置に変位する際に、前記作用部を前記被作用部側から退避させることで前記開閉部材の支持を解除し、且つ当該開閉部材において前記回動軸を挟んで前記被作用部とは反対側に位置する部分を前記延出部によって押圧することで前記開閉部材に対し前記被作用部側を下方側に移動させる方向の回転力を加えることを特徴とする請求項１から請求項１１のいずれか一項に記載の遊技機用可変入賞装置。
【請求項１５】
前記筐体には、前記駆動手段を保持する保持壁が設けられ、
前記保持壁において前記駆動手段の上側に配置される壁部には、前記開閉部材側に面するリブが形成されており、
前記開閉部材は、前記遊技盤の盤面と交差する回動軸を中心として回動可能に配され、前記閉鎖位置にあるときに前記回動軸を挟んだ両側の内の前記誘導口を閉鎖する側が所定位置に配置され、前記閉鎖位置から回動して前記開放位置となったときに前記誘導口を閉鎖する側が前記所定位置よりも下方となるように構成され、前記誘導口を閉鎖する側の端部と前記回動軸との間に前記被作用部が設けられており、
前記筐体の前記リブは、前記開閉部材が前記閉鎖位置となったときに前記回動軸を挟んで前記被作用部とは反対側に位置する部分と当接することで、当該開閉部材がその当接位置を超えて回動することを規制することを特徴とする請求項１から請求項１４のいずれか一項に記載の遊技機用可変入賞装置。
【請求項１６】
前記開閉部材は、前記遊技盤の盤面と交差し前記誘導口の一端側寄りに形成された回動軸を中心として回動可能に配されると共に、前記閉鎖部が前記回動軸の径方向に延設された板状形態をなし、かつ、当該閉鎖部が前記閉鎖位置のときよりも下方に回動変位して前記開放状態となるように構成されており、
前記閉鎖位置のときに前記誘導口の他端側寄りに配置される先端部が、その閉鎖位置のときよりも上方側に移動するように回動可能とされており、
前記開閉部材の前記先端部が上方側に移動して回動限界位置まで回動したときに、遊技球が１個通過可能となる開口幅で前記誘導口が開口することを特徴とする請求項１から請求項１３のいずれか一項に記載の遊技機用可変入賞装置。
【請求項１７】
前記開閉部材は、前記遊技盤の盤面と交差し前記誘導口の一端側寄りに形成された回動軸を中心として回動可能に配されると共に、前記閉鎖部が前記回動軸の径方向に延設された板状形態をなして撓み変形可能に構成され、かつ、当該閉鎖部が前記閉鎖位置のときよりも下方に回動変位して前記開放状態となるように構成されており、
前記閉鎖位置のときに前記誘導口の他端側寄りに配置される先端部が、その閉鎖位置のときよりも上方側に移動するように回動可能とされており、
前記開閉部材の前記先端部が上方側に移動して回動限界位置まで回動したとき、当該閉鎖部が撓み変形していない場合には遊技球が通過不能な開口幅で前記誘導口が開口し、
前記開閉部材が前記回動限界位置において更に前記閉鎖部が撓み変形したときには、遊技球が１個通過可能となる開口幅で前記誘導口が開口することを特徴とする請求項１から請求項１３のいずれか一項に記載の遊技機用可変入賞装置。
【請求項１８】
前記閉鎖部の下面側において前記先端部から所定距離離れた位置に、下方側に突出する突出部が形成されており、
前記突出部は、前記先端部が前記閉鎖位置のときよりも上方側に移動するように回動して遊技球が１球通過可能となる開口幅で前記誘導口が開口したときに、当該開口を介して導入される遊技球が前記誘導路を流下するように誘導する誘導壁として機能することを特徴とする請求項１６又は請求項１７に記載の遊技機用可変入賞装置。
【請求項１９】
請求項１から請求項１８のいずれか一項に記載の遊技機用可変入賞装置が前記遊技盤に配置されていることを特徴とする遊技機。
【発明の詳細な説明】
【技術分野】
【０００１】
本発明は、遊技機用可変入賞装置及びそれを備えた遊技機に関するものである。
【背景技術】
【０００２】
近年の遊技機では、遊技者の興趣を高めることを目的として、遊技領域内の中央部付近に配置される液晶表示装置や役物（いわゆるセンター役物）などが大型化する傾向にある。従って、入賞装置等の他の部品は、機能を充実させつつ、よりコンパクトに構成することが求められている。また、このような要求は、遊技盤上の領域（遊技領域）に限られるものではなく、液晶表示装置や役物などに必要な主要部品（制御基板等）の配置の制約を極力抑えるため、遊技盤の後方領域においても各部品のコンパクト化が望まれている。
【先行技術文献】
【特許文献】
【０００３】
【特許文献１】実公平５−４８６１号公報
【特許文献２】実公平２−３５３２６号公報
【発明の概要】
【発明が解決しようとする課題】
【０００４】
現在では、上記のように遊技盤後方領域のコンパクト化が求められているが、従来から提供されている入賞装置では、このような要求を満たすことが難しかった。例えば、アタッカーとも称される大入賞口などでは、一般的に入賞口を開閉する扉が遊技盤に沿った閉塞位置とこの閉塞位置から前方に傾倒した開放位置とで変位するようになっており、このような扉を遊技盤の後方に設けられたソレノイドによって駆動していた。従って、遊技盤の後方側にはソレノイドやこれに付随する機械的な機構、或いはこれらを保持するハウジングなどを配置する必要があり、遊技盤の後方側に部品スペースをかなり割かなければならなかった。
【０００５】
一方、特殊な入賞装置としては、特許文献１、２のようなものも提供されている。
特許文献１、２のいずれの構成も、遊技盤の盤面の前方において、盤面に沿って変位する開閉部材が設けられている。例えば特許文献１の構成では、可動板１２が盤面に沿って揺動することで、入賞口４を開放状態と非開放状態とに変化させている。また、特許文献２の構成では、弁部材１０が上下動することで入賞穴７を開放状態と非開放状態とに変化させている。
【０００６】
特許文献１、２のように開閉部材を盤面の前方側で変位させれば、駆動機構等を極力前側に配置し易くなるため、遊技盤後方領域のコンパクト化の問題をある程度解決しやすくなる。しかしながら、特許文献１の構成は、駆動構造（リンク）が複雑であるため、装置全体としては大型化が避けられなくなってしまう。また、特許文献１、２のように、開閉部材（可動板１２、弁部材１０）を盤面前方側で単に上下動させる構成では、何らかの方法で開閉部材に不正にアクセスされた場合に、開閉部材が簡単に押し下げられてしまい入賞装置が容易に開放させられてしまう懸念がある。特に、特許文献２の構成は、弁部材１０の移動方向が当該弁部材１０を支持する部分の移動方向と同じであるため、弁部材１０に対して遊技球が強い勢いで直接落下すると、弁部材１０が開放位置に押し下げられてしまう虞もある。
【０００７】
本発明の遊技機用可変入賞装置は、
遊技機の遊技盤に直接又は他部材を介して間接的に固定され、前記遊技盤の盤面と直交する前後方向において少なくとも前記遊技盤の前方側に、前記遊技盤の盤面に沿って流下する遊技球を下方側に進入させつつ取り込む誘導口が形成されてなる筐体と、
前記前後方向に沿ってスライドするように前記筐体に直接又は他部材を介して間接的に支持され、少なくとも自身の一部を前記遊技盤の盤面の前方側に配置して前記誘導口を閉鎖する閉鎖位置と、その閉鎖位置のときよりも後方側に退避して前記誘導口を開放する開放位置との間でスライド動作するように配置された開閉部材と、
駆動力を生じさせる駆動源と、
前記駆動源の駆動力を受けて所定のスライド方向にスライド動作するスライド部材と、を備え、
前記筐体には、前記遊技盤の盤面に沿って配置されると共に前記開閉部材が前記閉鎖位置にあるときに当該開閉部材の下流側に隣接して配置される下流側誘導樋が形成され、
前記下流側誘導樋の上流側の端部が前記誘導口の一部として構成されており、
前記開閉部材が前記閉鎖位置にあるときに、前記開閉部材の上面部及び前記下流側誘導樋の上面部によって前記開閉部材を上流側とし前記下流側誘導樋を下流側とするように外部流路が構成され、
前記スライド部材及び前記開閉部材のいずれか一方の部材には、前記スライド部材のスライド方向に対して傾斜した方向に沿った誘導溝が形成され、他方の部材又は他方の部材と連動する部材には、前記誘導溝内に挿入される挿入部が形成されており、
前記駆動源の駆動力を受けて前記スライド部材が前記所定のスライド方向にスライド動作したときに、前記挿入部が前記誘導溝内を相対的に移動するように案内され、その案内時における前記誘導溝の溝壁に対する前記挿入部の押圧作用に応じて、前記開閉部材が前後方向にスライド動作することを特徴とする。
【課題を解決するための手段】
【０００８】
本発明の遊技機用可変入賞装置は、遊技機の遊技盤に直接又は他部材を介して間接的に固定され、前記遊技盤の盤面と直交する前後方向において少なくとも前記遊技盤の前方側に、前記遊技盤の盤面に沿って流下する遊技球を下方側に進入させつつ取り込む誘導口と、前記誘導口の下方に続く誘導路とが形成されてなる筐体と、
少なくとも前記盤面の前方側において前記誘導口を閉鎖可能な閉鎖部を備え、前記閉鎖部によって前記誘導口を閉鎖状態とする閉鎖位置と、前記誘導口を前記閉鎖状態よりも前記遊技球が進入しやすい開放状態とする開放位置とで変位する構成をなし、前記開放位置にある前記閉鎖部が、前記閉鎖位置から前記筐体内の前記誘導路側に入り込むように前記盤面に沿って下方側に沈下した位置となるように構成される開閉部材と、
前記開閉部材と連動可能に構成され、前記開閉部材を前記閉鎖位置で保持する保持位置と、前記保持位置から退避した退避位置とで変位する支持部材と、
前記支持部材を前記保持位置と前記退避位置とで変位させる駆動手段と、
を備え、
前記開閉部材には、前記支持部材に支持されると共に当該開閉部材が前記閉鎖位置と前記開放位置とで変位する際に所定の移動方向に変位する被作用部が形成され、
前記支持部材には、前記被作用部を支持すると共に前記被作用部の移動方向と交差する方向に変位する作用部が形成されており、
前記開閉部材が前記閉鎖位置にある状態で当該開閉部材を前記開放位置に変位させようとする外力が加わったときに前記所定の移動方向に変位しようとする前記被作用部を前記支持部材の前記作用部が支持し続けることで、前記開閉部材の変位が規制されて前記開閉部材の開放が阻止されることを特徴とする。
【０００９】
本発明の遊技機は、上記遊技機用可変入賞装置が遊技盤に配置されていることを特徴とする。
【発明の効果】
【００１０】
本発明の遊技機用可変入賞装置及び遊技機は、開閉部材が盤面の前方側で変位するように構成されているため、開閉部材を駆動させるための機構や駆動手段をそれほど遊技機奥側（遊技盤後方側）に配置する必要が無く、入賞装置全体として前後方向のコンパクト化を図りやすくなる。
一方、このように開閉部材を盤面の前方側で変位させてコンパクト化を図ろうとすると、遊技球の衝突等に起因して開閉部材が開放してしまうことが懸念される。しかしながら、本発明では、開閉部材が閉鎖位置にある状態で当該開閉部材を開放位置に変位させようとする外力が加わったときに、支持部材が保持位置にて開閉部材の変位を規制することで開閉部材の開放が阻止されるため、開閉部材が閉鎖位置にあるときには開閉部材側からは開放できなくなる。特に、支持部材には、開閉部材の被作用部の移動方向と交差する方向に変位する作用部が形成され、この作用部によって被作用部を支持することで開閉部材の変位を規制しているため、開閉部材に力を加えて直接移動させようとしても、この開閉部材と移動方向が異なる支持部材を変位させることができず、支持部材は保持位置に安定的に維持されることになる。従って、閉鎖位置にある開閉部材が遊技球の衝突に起因して開いてしまうようなことが無く、不正開放操作がなされたとしても、開閉部材の変位を安定的に規制し続けることができ、不正開放をより確実に防ぐことができる。
【００１１】
本発明において、開閉部材は、遊技盤の盤面と交差し誘導口の一端側寄りに形成された回動軸を中心として回動可能に配されていてもよい。そして、この開閉部材は、閉鎖部が回動軸の径方向に延設された板状形態をなし、かつ、当該閉鎖部が閉鎖位置のときよりも下方に回動変位して開放状態となるように構成されていてもよい。更に、支持部材は、保持位置において作用部が被作用部と当接することにより、開閉部材が外力に応じて開放位置に変位することを規制するように構成されていてもよい。
この構成では、開閉部材の自重を利用して開放状態に変位させることができるため、開閉部材を開放させるために力を加える部品を省略又は簡素化することができる。また、支持部材を当接させることで開閉部材の変位を規制し、支持部材を退避させることで規制を解除するといった簡単な機構で開閉部材のロック及びロック解除を実現することができる。更に、駆動手段によって駆動される支持部材と開閉部材の間に中間部材を介在させていないため、駆動手段の駆動力をより直接的に開閉部材に伝達でき、開閉動作をより俊敏に行うことができる。
【００１２】
本発明において、駆動手段は、駆動源と、該駆動源に対して相対移動する駆動変位部とを備えた構成としてもよい。そして、支持部材は、駆動変位部と一体的に移動可能に構成され、駆動変位部の変位に応じて直線的に往復動するように構成されていてもよい。更に、開閉部材は、支持部材が退避位置にあるときに当該支持部材による支持が解除された状態で開放位置で維持され、支持部材が退避位置から保持位置に向けて直線的に動作したときに当該支持部材によって押圧されることにより閉鎖位置に変位し、且つ当該閉鎖位置で支持部材に支持され続けるように構成されていてもよい。
この構成では、駆動変位部と支持部材とを一体的に変位させており、支持部材自体の駆動構造を簡素化することができる。更に、支持部材と開閉部材との間に中間部材を介在させず、支持部材の直線的な変位を直接的に開閉部材に伝達しているため、中間部材によって力を変換することに起因するエネルギーの損失や中間部材の摺動等に起因する摩耗等が生じにくくなる。従って、寸法精度が低下しにくく、部品寿命も延ばしやすくなる。また、駆動手段の具体例として、駆動源としてのコイル部と、該コイル部に対して直線的に相対移動する駆動変位部としてのプランジャとを備えたソレノイドによって構成されていてもよい。ソレノイドの駆動力をより直接的に開閉部材に伝達できるため、開閉動作をより俊敏に行うことができる。
【００１３】
本発明において、筐体には、遊技盤の盤面に沿って配置され且つ開閉部材が閉鎖位置にあるときに当該開閉部材の上流側に隣接して配置される上流側誘導樋が形成されていてもよい。そして、上流側誘導樋の下流側の端部が誘導口の一部として構成されていてもよい。更に、開閉部材が閉鎖位置にあるときに、開閉部材の上面部及び上流側誘導樋の上面部によって上流側誘導樋を上流側とし開閉部材を下流側とするように外部流路が構成されていてもよい。
この構成によれば、開閉部材の閉鎖時には上流側誘導樋及び開閉部材の各上面部を外部流路として利用し、遊技領域において遊技球の誘導に役立てることができる。一方、開閉部材の開放時には外部流路を流下する遊技球を誘導口内に円滑に導くことが可能となる。
【００１４】
本発明は、駆動手段の少なくとも一部が上流側誘導樋の下方に配置され且つ遊技盤の後面よりも前側の領域に配置されていてもよい。
このような構成では、遊技球を流下させにくい領域（上流側誘導樋の下方領域）を利用して駆動手段を効率的に配置することができる。そして、装置全体として後方側に嵩張らなくなり、前後方向のコンパクト化を図ることができる。
【００１５】
本発明において、筐体には、遊技盤の盤面に沿って配置され且つ開閉部材が閉鎖位置にあるときに当該開閉部材の下流側に隣接して配置される下流側誘導樋が形成されていてもよい。そして、下流側誘導樋の上流側の端部が誘導口の一部として構成されていてもよい。更に、開閉部材が閉鎖位置にあるときに、開閉部材の上面部及び下流側誘導樋の上面部によって開閉部材を上流側とし下流側誘導樋を下流側とするように外部流路が構成されていてもよい。
この構成によれば、開閉部材の閉鎖時には開閉部材及び下流側誘導樋の各上面部を外部流路として利用し、遊技領域において遊技球の誘導に役立てることができる。一方、開閉部材の開放時には外部流路を流下する遊技球を誘導口内に円滑に導くことが可能となる。
【００１６】
本発明において、筐体の内部に、誘導口側を上流側として当該誘導口から進入する遊技球を下流側に設けられた排出部へ誘導するように誘導路が形成されていてもよい。そして、遊技盤の後面よりも前側の領域に、誘導路を通過する遊技球を検出する球検出部が設けられていてもよい。
この構成によれば、誘導口から進入した遊技球を下流側の排出部に円滑に導き、当該排出部から装置外に排出することができる。また、遊技盤の後面よりも前側の領域を利用して球検出器を配置することができるため、入賞装置としての機能を果たし得る構成を、よりコンパクトに実現でき、特に遊技盤の後方領域を有効に利用することが可能となる。
【００１７】
本発明において、球検出部は、当該球検出部の上面部側から下面部側に連通するように遊技球通過孔が形成され、当該遊技球通過孔を通過する遊技球を検出するように構成され、更に、上面部の前端側が後端側よりも下方位置となるように傾斜した状態で筐体内に保持されていてもよい。
この構成によれば、遊技球を後方側且つ下方側に円滑に導きつつ当該遊技球を検出しうる構成をより小型構成で実現することができる。
【００１８】
本発明は、開閉部材の上面部における下流側誘導樋寄りの端部に下流側誘導樋に近づくにつれて低位置となるように傾斜するテーパ部が形成される構成、及び下流側誘導樋の下面部における開閉部材寄りの端部に開閉部材から離れるにつれて低位置となるように傾斜するテーパ部が形成される構成、の少なくともいずれかの構成が用いられていてもよい。
この構成によれば、更に、上記テーパ部が形成されているため、開閉部材が開放位置から閉鎖位置に復帰する際に下流側誘導樋と開閉部材との間で球噛みが発生し難くなる。従って、球噛みに起因する余分な入賞を効果的に防ぐことができる。特に、一旦球噛みが発生すると、球噛みした遊技球が次球の押圧で押し出されたときに次球が球噛みしてしまうとい球噛みの連鎖が問題となるが、上記構成によればこのような球噛みの連鎖をより確実に防ぐことができる。
【００１９】
本発明は、筐体の内部に、誘導口側を上流側として当該誘導口から進入する遊技球を下流側に設けられた排出部へ誘導するように誘導路が形成されていてもよい。そして、開閉部材は、遊技盤の盤面と交差し誘導口の一端側寄りに形成された回動軸を中心として回動可能に配されると共に、閉鎖部が回動軸の径方向に延設された板状形態をなし、かつ、当該閉鎖部が閉鎖位置のときよりも下方に回動変位して開放状態となるように構成されていてもよい。更に、この開閉部材は、閉鎖部における回動軸とは反対の端部側から下方に突出する下方突出部が設けられ、閉鎖位置にあるときに下方突出部が誘導路の上流側を閉鎖し、開放位置となったときに下方突出部が誘導路から退避して当該誘導路と誘導口とを連通させるように構成されていてもよい。
この構成によれば、誘導口から進入した遊技球を下流側の排出部に円滑に導き、当該排出部から装置外に排出することができる。また、開閉部材が閉鎖位置にあるときに下方突出部が誘導路の上流側を閉鎖するように構成されているため、誘導路内に流入した遊技球が上流側（特に開閉部材の回動域側）に入り込むことを防ぐことができ、誘導路内の遊技球をより円滑に下流側に導くことができる。
【００２０】
また、本発明は、筐体において、遊技盤の盤面に隣接して配置される台板と、台板の前方側において当該台板と対向して配置される前飾り板とが設けられていてもよい。そして、少なくとも駆動手段の駆動変位部と支持部材とが、筐体内において前飾り板と台板とによって前後が閉鎖された閉鎖空間に収容されていてもよい。
この構成では、駆動手段の駆動変位部及び支持部材の前後を前飾り板と台板とによってカバーすることができるため、これら部品に対して前方からも後方からもアクセスし難くなる。従って、開閉部材だけでなく駆動変位部や支持部材に対する不正操作をも効果的に防止することができ、不正防止効果をより一層高めることができる。
【００２１】
本発明は、支持部材の少なくとも下方側において当該支持部材をガイドするガイド部が設けられていてもよい。そして、支持部材は、下面側がガイド部によって支持される構成をなし、且つ保持位置にあるときに上面側で開閉部材を支持するように構成されていてもよい。
この構成によれば、ガイド部によって支持部材を円滑且つ安定的に変位させることができる。特に支持部材は保持位置のときに上下方向に確実に位置決めされた状態で上面側の開閉部材を支持することができるため、閉鎖位置にある開閉部材がより安定的に保持されることとなる。
【００２２】
本発明において、開閉部材は、遊技盤の盤面と交差し誘導口の一端側寄りに形成された回動軸を中心として回動可能に配されると共に、閉鎖部が回動軸の径方向に延設された板状形態をなし、かつ、当該閉鎖部が閉鎖位置のときよりも下方に回動変位して開放状態となるように構成され、更に閉鎖部における回動軸とは反対の端部と回動軸との間に被作用部が設けられていてもよい。そして、支持部材は、遊技球の流下方向を上下方向とし、当該上下方向及び前後方向と直交する方向を左右方向としたとき、左右方向において回動軸よりも被作用部側に作用部が設けられていてもよい。更に、左右方向において回動軸よりも作用部側とは反対側に延出する構成で作用部と一体的に延出部が形成され、保持位置にあるときには、閉鎖位置にある開閉部材の被作用部を作用部によって支持し、保持位置から退避位置に変位する際に、作用部を被作用部側から退避させることで開閉部材の支持を解除し、且つ当該開閉部材において回動軸を挟んで被作用部とは反対側に位置する部分を延出部によって押圧することで開閉部材に対し被作用部側を下方側に移動させる方向の回転力を加えるように構成されていてもよい。
この構成では、開閉部材を開放位置に移動させる際に、作用部の退避に起因する力（自重による下降力等）だけでなく、延出部による押圧で生じる回転力をも付加することができ、開閉部材をより迅速かつ確実に回転させて即座に開放位置に移動させることができる。
【００２３】
本発明において、支持部材は、開閉部材の下方において開閉部材の回動軸と略平行に位置する前後方向に沿った揺動軸線周りで揺動し得る構成をなし、且つ揺動軸線の上方側に延出して配される先端部分が作用部として構成され、揺動軸線周りの揺動に応じて被作用部の移動方向と交差する方向に変位するようにしてもよい。そして、支持部材が保持位置にあるときには、当該支持部材の作用部が揺動軸線の真上の位置又はその近傍、より好ましくは当該真上の位置に対して退避位置とは反対側の位置に保持されることで開閉部材の沈下を規制し、支持部材が退避位置となったときには、当該支持部材の作用部が揺動軸線の真上の位置又はその近傍（被作用部の下方）から退避することで開閉部材が下方側に沈下可能となるように構成されていてもよい。
この構成によれば、遊技盤後方側のコンパクト化を図りつつ、不正開放をより確実に防止し得る構成を、支持部材を回動可能に保持するという簡易な構成を用いて実現できる。
【００２４】
本発明において、更に、支持部材の作用部を、回動軸から遠ざかる方向に付勢する付勢手段が設けられていてもよい。そして、駆動手段が、付勢手段による付勢に抗して作用部を回動軸側に移動可能とされ、開閉部材の下面側に、支持部材の作用部が被作用部を超えて回動軸側とは反対側に移動することを規制するストッパーが形成されていてもよい。そして、支持部材が保持位置にあるときには、当該支持部材の作用部が付勢手段によって付勢されつつストッパーに当接することで、揺動軸線の真上の位置又はその近傍、より好ましくは当該真上の位置に対して回動軸とは反対側の位置で保持されることで、開閉部材の沈下を規制し、支持部材が退避位置となったときには、当該作用部が揺動軸線の真上の位置又はその近傍よりも回動軸に近づくように退避することで、開閉部材が下方側に沈下可能となるように構成されていてもよい。
この構成では、駆動手段の非駆動時には付勢手段の付勢によって支持部材の作用部をストッパーに押し付けて保持することができるため、支持部材の作用部を、揺動軸線の真上の位置又はその近傍、より好ましくは真上の位置に対して回動軸とは反対側の位置に確実且つ安定的に位置保持することができ、ひいては、開閉部材が沈下しないように確実に支持して閉鎖位置に安定的に保つことができる。
【００２５】
本発明は、筐体に、駆動手段を保持する保持壁が設けられ、保持壁において駆動手段の上側に配置される壁部には、開閉部材側に面するリブが形成されていてもよい。そして、開閉部材は、遊技盤の盤面と交差する回動軸を中心として回動可能に配され、閉鎖位置にあるときに回動軸を挟んだ両側の内の誘導口を閉鎖する側が所定位置に配置され、閉鎖位置から回動して開放位置となったときに誘導口を閉鎖する側が所定位置よりも下方となるように構成され、誘導口を閉鎖する側の端部と回動軸との間に被作用部が設けられていてもよい。更に、筐体のリブは、開閉部材が閉鎖位置となったときに回動軸を挟んで被作用部とは反対側に位置する部分と当接することで、当該開閉部材がその当接位置を超えて回動することを規制するように構成されていてもよい。
この構成によれば、保持壁によって駆動源を安定的に位置決めし保持することができる。また、保持壁に形成されたリブを使用して開閉部材の回動範囲を規制することができ、開閉部材を適切な回動範囲内で変位させ得る構成をよりコンパクトに実現できる。
【００２６】
また、本発明において、開閉部材は、閉鎖位置のときに誘導口の他端側寄りに配置される先端部がその閉鎖位置のときよりも上方側に移動するように回動可能とされていてもよい。そして、開閉部材の先端部が上方側に移動して回動限界位置まで回動したときに、遊技球が１個通過可能となる開口幅で誘導口が開口するように構成されていてもよい。
このようにすることで、例えば開閉部材を回動限界位置まで人為的に持ち上げ操作等することによって、駆動手段を駆動させずとも誘導路内に遊技球を導入することが可能となり、遊技球の通過状態の検査（例えば検出センサの動作検査等）などを容易に行うことができるようになる。
【００２７】
また、本発明において、開閉部材は、閉鎖部が回動軸の径方向に延設される板状形態をなして撓み変形可能に構成され、閉鎖位置のときに誘導口の他端側寄りに配置される先端部がその閉鎖位置のときよりも上方側に移動するように回動可能とされていてもよい。そして、開閉部材の先端部が上方側に移動して回動限界位置まで回動したとき、当該閉鎖部が撓み変形していない場合には遊技球が通過不能な開口幅で誘導口が開口し、開閉部材が回動限界位置において更に閉鎖部が撓み変形したときには、遊技球が１個通過可能となる開口幅で誘導口が開口するように構成されていてもよい。
このようにすることで、例えば開閉部材を回動限界位置まで人為的に持ち上げ操作等することによって、駆動手段を駆動させずとも誘導路内に遊技球を導入することが可能となり、遊技球の通過状態の検査（例えば検出センサの動作検査等）などを容易に行うことができるようになる。特にこの構成では、開閉部材を回動限界位置まで回動させただけでは、遊技球を入賞させることができないため、不正防止効果を十分に有する。一方、閉鎖部が撓み変形可能であるので、遊技球を開口から押し込む形で導入させることが可能となり、遊技球の通過状態の検査を容易に行うことができる。
【００２８】
また、本発明は、開閉部材の閉鎖部の下面側において先端部から所定距離離れた位置（閉鎖部の中途位置）に、下方側に突出する突出部が形成されていてもよい。そして、この突出部は、開閉部材が閉鎖位置のときよりも上方側に持ち上げられて遊技球が１個通過可能となる開口幅で誘導口が開口したときに、当該開口を介して導入される遊技球が前記誘導路を流下するように誘導する誘導壁として機能するように構成されていてもよい。
この構成では、例えば検査工程などにおいて駆動手段を駆動させずに誘導路内に遊技球を導入する場合に、導入された遊技球が開閉部材の下側に入り込んで支持部材や駆動手段の動作を阻害するといったことが生じ難く、球噛み等が発生しにくいため、導入された遊技球をスムーズに流下させることができる。
【図面の簡単な説明】
【００２９】
【図１】図１は、本発明の第１実施形態に係る遊技機用可変入賞装置を備えた遊技機を例示する正面図である。
【図２】図２（Ａ）は、第１実施形態に係る遊技機用可変入賞装置の正面図であり、図２（Ｂ）その背面図である。
【図３】図３（Ａ）は、図２の遊技機用可変入賞装置の右側面図であり、図３（Ｂ）は、その左側面図である。
【図４】図４（Ａ）は、図２の遊技機用可変入賞装置の平面図であり、図４（Ｂ）は、その底面図である。
【図５】図５（Ａ）は、図２の遊技機用可変入賞装置において図３（Ａ）のＡ−Ａ位置で切断したＡ−Ａ断面を概略的に示す斜視図であり、図５（Ｂ）は、図２の遊技機用可変入賞装置を斜め後方から見た斜視図である。
【図６】図６は、図２の遊技機用可変入賞装置を斜め前方側から見た分解斜視図である。
【図７】図７は、図２の遊技機用可変入賞装置を斜め後方側から見た分解斜視図である。
【図８】図８（Ａ）は、開閉部材が閉鎖位置にあるときの図３（Ａ）のＡ−Ａ断面を概略的に示す断面図であり、図８（Ｂ）は、開閉部材が開放位置にあるときの図３（Ａ）のＡ−Ａ断面を概略的に示す断面図である。
【図９】図９（Ａ）は、図８（Ａ）の切断面を斜め前方から見た斜視図であり、図９（Ｂ）は、図８（Ｂ）の切断面を斜め前方から見た斜視図である。
【図１０】図１０は、図４（Ａ）のＢ−Ｂ断面を概略的に示す断面図である。
【図１１】図１１（Ａ）は、図２の遊技機用可変入賞装置を図２（Ａ）のＣ−Ｃ位置で切断した切断面を概略的に示す断面図であり、図１１（Ｂ）は、図２（Ａ）のＤ−Ｄ位置で切断した切断面を概略的に示す断面図である。
【図１２】図１２（Ａ）は、第２実施形態に係る遊技機用可変入賞装置に関し、開閉部材が閉鎖位置にあるときの状態について前飾り板の後面付近で切断した切断面を概略的に示す断面図であり、図１２（Ｂ）は、その正面図である。
【図１３】図１３（Ａ）は、第２実施形態に係る遊技機用可変入賞装置に関し、開閉部材が開放位置にあるときの状態について前飾り板の後面付近で切断した切断面を概略的に示す断面図であり、図１３（Ｂ）は、その正面図である。
【図１４】図１４（Ａ）は、第３実施形態に係る遊技機用可変入賞装置に関し、開閉部材が閉鎖位置にあるときの状態について前飾り板の後面付近で切断した切断面を概略的に示す断面図であり、図１４（Ｂ）は、その一部を拡大して示す拡大図である。
【図１５】図１５（Ａ）は、第３実施形態に係る遊技機用可変入賞装置に関し、開閉部材が開放位置にあるときの状態について前飾り板の後面付近で切断した切断面を概略的に示す断面図であり、図１５（Ｂ）は、その一部を拡大して示す拡大図である。
【図１６】図１６（Ａ）は、第４実施形態に係る遊技機用可変入賞装置に関し、開閉部材が閉鎖位置にあるときの開閉部材、支持部材、及びソレノイドの構成を概略的に示す斜視図であり、図１６（Ｂ）は、開閉部材が開放位置にあるときのこれらの状態を概略的に示す斜視図である。
【図１７】図１７（Ａ）は、第４実施形態に係る遊技機用可変入賞装置に関し、開閉部材が閉鎖位置にあるときの開閉部材、支持部材、及びソレノイドの構成を概略的に示す平面図であり、図１７（Ｂ）は、開閉部材が開放位置にあるときのこれらの状態を概略的に示す平面図である。
【図１８】図１８（Ａ）は、第４実施形態に係る遊技機用可変入賞装置に関し、開閉部材が閉鎖位置にあるときの開閉部材、支持部材、及びソレノイドの構成を概略的に示す正面図であり、図１８（Ｂ）は、開閉部材が開放位置にあるときのこれらの状態を概略的に示す正面図である。
【図１９】図１９（Ａ）は、第５実施形態に係る遊技機用可変入賞装置に関し、開閉部材が閉鎖位置にあるときの開閉部材、支持部材、及びソレノイドの構成を概略的に示す斜視図であり、図１９（Ｂ）は、開閉部材が開放位置にあるときのこれらの状態を概略的に示す斜視図である。
【図２０】図２０（Ａ）は、第５実施形態に係る遊技機用可変入賞装置に関し、開閉部材が閉鎖位置にあるときの開閉部材、支持部材、及びソレノイドの構成を概略的に示す正面図であり、図２０（Ｂ）は、開閉部材が開放位置にあるときのこれらの状態を概略的に示す正面図である。
【図２１】図２１は、第６実施形態に係る遊技機用可変入賞装置を斜め前方側から見た分解斜視図である。
【図２２】図２２は、図２１の遊技機用可変入賞装置を斜め後方側から見た分解斜視図である。
【図２３】図２３は、図２１の遊技機用可変入賞装置におけるソレノイド、支持部材、開閉部材、ガイド部材、軸部材を示す分解斜視図である。
【図２４】図２４（Ａ）は、図２１の遊技機用可変入賞装置において前飾り部材を省略した状態を斜め前方側から見た斜視図であり、図２４（Ｂ）は、その状態を斜め後方側から見た斜視図である。
【図２５】図２５（Ａ）は、開閉部材、支持部材、ガイド部材、ソレノイドについて開閉部材が閉鎖位置にあるときの連携状態を示す平面図であり、図２５（Ｂ）は、その連携状態の正面図であり、図２５（Ｃ）は、その連携状態の斜視図である。
【図２６】図２６（Ａ）は、開閉部材、支持部材、ガイド部材、ソレノイドについて開閉部材が開放位置にあるときの連携状態を示す平面図であり、図２６（Ｂ）は、その連携状態の正面図であり、図２６（Ｃ）は、その連携状態の斜視図である。
【図２７】図２７（Ａ）は、第７実施形態に係る遊技機用可変入賞装置を斜め前方側から見た斜視図であり、図２７（Ｂ）は、その遊技機用可変入賞装置において開閉部材が閉鎖位置よりも持ち上げた状態を示す斜視図である。
【図２８】図２８は、図２７の遊技機用可変入賞装置を斜め前方側から見た分解斜視図である。
【図２９】図２９は、図２７の遊技機用可変入賞装置を斜め後方側から見た分解斜視図である。
【図３０】図３０（Ａ）は、図２７の遊技機用可変入賞装置の平面図であり、図３０（Ｂ）は、図３０（Ａ）のＥ−Ｅ断面を示す断面図である。
【図３１】図３１（Ａ）は、開閉部材が開放位置にあるときの図３０（Ｂ）に対応する断面図であり、図３１（Ｂ）は、開閉部材が閉鎖位置よりも持ち上げられたときの図３０（Ｂ）に対応する図である。
【発明を実施するための形態】
【００３０】
[第１実施形態]
以下、本発明に係る遊技機用可変入賞装置１０及びそれを備えた遊技機１を具現化した第１実施形態について、図面を参照して説明する。なお、図１は、第１実施形態に係る遊技機用可変入賞装置１０を備えた遊技機１を例示する正面図であり、まず、図１を参照して遊技機１の構成を概説する。
【００３１】
（遊技機の構成）
図１に示す遊技機１は、いわゆるパチンコ機として構成されるものであり、木板（ベニヤ板）、アクリル板等によって構成される遊技盤２の盤面(遊技盤２の前面)２ａに沿って遊技球Ｂの発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、始動誘導口７が配置されている。そして、液晶表示部３の下方側において、始動誘導口の横方向に、本発明に係る遊技機用可変入賞装置１０が配置されている。なお、遊技機１には、遊技盤２の前方において当該遊技盤２の盤面２ａとほぼ平行に透明板（ガラス板等）が配置され、ガイドレール５等によって区画された遊技領域内において透明板と遊技盤２との間を遊技球が流下するように構成されている。
【００３２】
（遊技機用可変入賞装置の構成）
次に、第１実施形態に係る遊技機用可変入賞装置１０について説明する。
図１に示すように、遊技機用可変入賞装置１０（以下、入賞装置１０ともいう）は、遊技盤２に固定されて用いられるものであり、その一部が遊技盤２の前方側から視認可能となるように露出した状態で配置されている。この入賞装置１０は、図１、図４に示すように盤面２ａの前方側に配される誘導口２０を備えており、この誘導口２０が開放したときに、盤面２ａに沿って流下する遊技球を内部に誘導することができる。なお、図１等に示す代表例では、誘導口２０が大入賞口として機能するアタッカーとしての例を示すが、遊技球が入賞し得る構成であれば様々な入賞装置に適用できることは勿論である。
【００３３】
本明細書において、「前後方向」とは、遊技機用可変入賞装置１０が取り付けられる遊技盤２の盤面２ａと直交する方向を意味し、盤面２ａに対し、開閉部材２１が配置される側（即ち、遊技者が位置するべき側）を前方側、それとは反対側（即ち、遊技機１奥側）を後方側とする。なお、図３、図４では、盤面２ａの位置を二点鎖線にて仮想的に示している。
【００３４】
また、「上下方向」とは、遊技領域を遊技球が流下する方向（鉛直方向）を意味し、鉛直上方側を上方、鉛直下方側を下方とする。また、「左右方向」とは、上記「前後方向」及び「上下方向」と直交する方向を意味する。遊技機前方側から見て左側を左方向、右側を右方向とする。
【００３５】
ここで、図２〜図７等を参照し、入賞装置１０を構成する各部品について詳述する。
図２（Ａ）は、第１実施形態に係る遊技機用可変入賞装置の正面図であり、図２（Ｂ）その背面図である。図３（Ａ）は、図２の遊技機用可変入賞装置の右側面図であり、図３（Ｂ）は、その左側面図である。図４（Ａ）は、図２の遊技機用可変入賞装置の平面図であり、図４（Ｂ）は、その底面図である。図５（Ａ）は、図２の遊技機用可変入賞装置において前飾り板の後面付近で切断した構成を概略的に示す斜視図であり、図５（Ｂ）は、図２の遊技機用可変入賞装置を斜め後方から見た斜視図である。図６は、図２の遊技機用可変入賞装置を斜め前方側から見た分解斜視図である。図７は、図２の遊技機用可変入賞装置を斜め後方側から見た分解斜視図である。
【００３６】
図２〜図５に示すように、入賞装置１０は、主として、筐体８０、開閉部材２１、ソレノイド４０、支持部材３０、ガイド部材７０、球検出部６２を備えている。
筐体８０は、支持部材３０、開閉部材２１、ソレノイド４０、ガイド部材７０、球検出部６２等を収容すると共に入賞装置１０の外殻をなすものであり、例えば樹脂材料などによって箱状に構成されている。この筐体８０は、図５〜図７に示すように、前方側に配される前飾り部材８４と、後方側に配される台板部材８２と、球検出部６２を保持して台板部材８２に取り付けられる保持部材６４とによって構成されており、これらが、ねじ等の締結部材８６（図６、図７等）によって一体的に組み付けられている。
【００３７】
図６、図７に示すように、前飾り部材８４は、遊技盤２の盤面２ａと略平行に配置される板状の前飾り板８４ａと、この前飾り板８４ａから後方に突出する周壁部８４ｂとを備えており、周壁部８４ｂが、前飾り板８４ａの外周に沿って略環状に配置されるようになっている。
【００３８】
前飾り部材８４に組み付けられる台板部材８２は、遊技盤２の盤面２ａに隣接して配置される板状の台板８２ａと、この台板８２ａから後方に突出する環状壁部８２ｂとを備えている。そして環状壁部８２ｂの内部に、後述する球検出部６２及びこの球検出部６２を保持する保持部材６４が嵌まり込んだ状態で組み付けられるようになっている。具体的には、図６、図７のように、台板８２ａにおいて有底状の穴部８２ｃと、台板８２ａを厚さ方向に貫通する貫通孔８２ｄとが形成されており、貫通孔８２ｄの周囲を囲むように環状壁部８２ｂが配置されている。そして、この貫通孔８２ｄ内に嵌合する構成で球検出部６２を保持する保持部材６４が取り付けられ、貫通孔８２ｄ内に挿入され且つ台板８２ａの前後に跨る構成で球検出部６２が配置されるようになっている（図１１（Ａ）も参照）。
【００３９】
このように構成される筐体８０は、図８、図９のように支持部材３０やソレノイド４０を内部に収容して直接的に保持するように構成されており、図９、図１１のように、筐体８０内において前飾り板８４ａと台板８２ａとによって前後が閉鎖された閉鎖空間に、開閉部材２１、ガイド部材７０、支持部材３０及びソレノイド４０が組み付けられるようになっている。
【００４０】
また、図４（Ａ）のように、筐体８０の上面部には、遊技盤２の盤面２ａに沿うように誘導樋５０が形成されている。この誘導樋５０は、図４（Ａ）（図５（Ａ）のように開閉部材２１が閉鎖位置にあるときに当該開閉部材２１の上流側に隣接して配置される上流側誘導樋５２と、開閉部材２１が閉鎖位置にあるときに当該開閉部材２１の下流側に隣接して配置される下流側誘導樋５１とにより構成されている。そして、上流側誘導樋５２と下流側誘導樋５１との間が誘導口２０となっている。
【００４１】
具体的には、前飾り部材８４の周壁部８４ｂの一部をなす上側の壁部５２ａが上流側誘導樋５２の底壁部となっており、もう一方の上側の壁部５１ａが下流側誘導樋５１の底壁部となっている。上流側誘導樋５２は、この壁部５２ａと、前飾り板８４ａ及び台板８２ａにおける壁部５２ａに隣接する部分とによって構成されており、壁部５２ａ上を転がるように遊技球が流下するようになっている。また、下流側誘導樋５１は、この壁部５１ａと、前飾り板８４ａ及び台板８２ａにおける壁部５１ａに隣接する部分とによって構成されており、壁部５１ａ上を転がるように遊技球が流下するようになっている。この誘導樋５０では、壁部５２ａにおける左右方向一方側（壁部５１ａ側）の端部と、壁部５１ａにおける左右方向他方側（壁部５２ａ側）の端部と、前飾り板８４ａと、台板８２ａとによって誘導口２０が形成されており、これらによって囲まれる開口領域が遊技球の取り込み口となっている。この構成では、図８（Ａ）、図９（Ａ）のように開閉部材２１が閉鎖位置にあるときには、上流側誘導樋５２によって誘導口２０側に導かれた遊技球が開閉部材２１の上を転がり、下流側誘導樋５１に導かれることとなる。また、図８（Ｂ）、図９（Ｂ）のように後述する開閉部材２１が開放位置にあるときには、上流側誘導樋５２によって誘導口２０側に導かれた遊技球が誘導口２０から内部に進入することとなる。なお、図８、図９等に示す例では、上流側誘導樋５２は、誘導口２０側が低位となるように傾斜しているが、反対に傾斜するように形成されていてもよい。即ち、誘導口２０側が高位であり、誘導口２０とは反対側が低位となるように形成されていてもよい。
【００４２】
また、図８、図９に示すように、筐体８０の内部には、誘導口２０側を上流側として当該誘導口２０から進入する遊技球を下流側に設けられた排出部６０ａ（図１１（Ａ）参照）へ誘導する誘導路６０が形成されている。図９、図１１（Ａ）に示すように、誘導路６０は、前飾り部材８４における上記壁部５１ａと、保持部材６４において壁部５１ａの下方側に対向するように設けられた底壁部６４ｂと、底壁部６４ｂに隣接する傾斜壁部６４ａ（図９）と、これらの前方に配置される前飾り板８４ａと、前飾り板８４ａの後方側に配置される球検出部６２などによって構成されている。この誘導路６０は、遊技球を１球ずつ通す流路として機能しており、具体的には、前飾り板８４ａの後方側且つ球検出部６２の前方側において、壁部５１ａと底壁部６４ｂとの間を遊技球（誘導口２０から進入した遊技球）が通るようになっている。また、図１１（Ａ）に示すように、壁部５１ａと底壁部６４ｂとによって上下が閉塞された空間の後方側には、途中に遊技球通過孔６２ａを介在させて排出部６０ａが連通している。また、傾斜壁部６４ａは、上端側が後方位置となり、下端側が前方位置となるように傾斜しており、誘導口２０の直下の後方側に進入した遊技球を前方側の底壁部６４ｂ上に誘導するように機能している。
【００４３】
球検出部６２は、図１１（Ａ）に示すように、下流側誘導樋５１の下方側において遊技盤２の後面よりも前側の領域に配置されており、誘導路６０を通過する遊技球Ｂを検出するように機能している。なお、図１１（Ａ）（Ｂ）では、遊技盤２の後面の位置を概念的に例示しており、例えば、遊技盤２がアクリル板として構成される場合には符号２ｂ’の位置に遊技盤２の後面が配され、遊技盤２が木板として構成される場合には符号２ｂ”の位置に遊技盤２の後面が配されるようになっている。なお、遊技盤２がアクリル板として構成される場合には例えば厚みを１０ｍｍとし、ベニヤ板として構成される場合には例えば厚みを１９ｍｍに設定することが望ましい。すなわち、入賞装置１０は、ベニヤ板よりも厚みが薄いアクリル板においても、遊技盤２の後面２ｂ’よりも前側の領域に配置することができる。
【００４４】
球検出部６２は、上面部６２ｂの一部が誘導路６０内に面し、他の部分が傾斜壁部６４ａ（図９）に覆われるように筐体８０の内部に保持されており、上面部６２ｂの誘導路６０内に面する部分において上面部６２ｂ側（図８、図１１（Ａ）参照）から下面部６２ｃ側（図２（Ｂ）、図１１（Ａ）参照）に連通するように遊技球通過孔６２ａが形成されている。そして、この遊技球通過孔６２ａを通過する遊技球Ｂを検出するように構成されている。また、図１１（Ａ）のように、球検出部６２は、上面部６２ｂの前端側が後端側よりも下方位置となるように傾斜した状態で筐体８０内に保持され、遊技球通過孔６２ａが上方前側から下方後側に続くように配置されて、上面部６２ｂ側から遊技球通過孔６２ａ内に入り込んだ遊技球がこの遊技球通過孔６２ａによって後方側且つ下方側に導かれるようになっている。遊技球通過孔６２ａを通過した遊技球は、この遊技球通過孔６２ａの後方側且つ下方側に設けられた排出部６０ａに誘導され、排出部６０ａから装置外に排出されるようになっている。
【００４５】
次に、開閉部材２１について説明する。
開閉部材２１は、図６、図７等に示すように長手状且つ略板状に構成されており、図４（Ａ）、図５（Ａ）に示すように、上述の誘導口２０を閉塞し得るように筐体８０に保持されている。この開閉部材２１は、図８（Ａ）（Ｂ）、及び図９（Ａ）（Ｂ）に示すように、盤面２ａ（図３、図４等）の前方側において、誘導口２０を閉鎖状態とする閉鎖位置（図８（Ａ）、図９（Ａ））と、誘導口２０を閉鎖状態よりも遊技球Ｂが進入しやすい開放状態とする開放位置（図８（Ｂ）図９（Ｂ））とで変位するようになっている。
【００４６】
図６等に示すように、開閉部材２１には、軸部材２２が挿し通される孔部２１ｆが形成されており、図１１（Ｂ）に示すように、孔部２１ｆに軸部材２２が挿し通された状態でこの軸部材２２の両端部が前飾り部材８４と台板部材８２とによって保持されるようになっている。これにより、開閉部材２１は、筐体８０に保持された状態で軸部材２２を中心として回動可能となり、盤面２ａと交差する回動軸Ｇ１（軸部材２２の中心となる仮想軸）を中心として回動することとなる。また、開閉部材２１は、当該開閉部材２１の長手方向一方側寄りの回動軸Ｇ１を中心として回動するようになっており、図８（Ａ）のように閉鎖位置にあるときには、一端側（長手方向において回動軸Ｇ１とは反対側）が所定位置（具体的には、壁部５１ａの上流側端部に隣接する位置）に配置され、図８（Ｂ）のように閉鎖位置から回動して開放位置となったときには、この一端側が所定位置よりも下方に変位して壁部５１ａから離間するようになっている。
【００４７】
図８、図９に示すように、開閉部材２１は、主として、誘導口２０を閉鎖可能な板状の閉鎖部２１ｂと、閉鎖部２１ｂの一端側から下方に突出する下方突出部２１ｃと、下方突出部２１ｃと回動軸Ｇ１との間において下方側に突出するように凸状に形成された被作用部２１ａとを備えている。被作用部２１ａは、後述する支持部材３０によって支持される部分であり、図８（Ａ）のように支持部材３０が被作用部２１ａの下方に位置しているときには、この支持部材３０と当接し、下方側への移動が規制されるようになっている。一方、この開閉部材２１は、図８（Ｂ）のように支持部材３０が被作用部２１ａの下から退避したときには、支持部材３０による支持（当接）が解除され、図８（Ａ）のときよりも下方側に移動し得るようになっている。このように、開閉部材２１は、図８（Ａ）、図９（Ａ）のように閉鎖位置にあるときに、閉鎖部２１ｂが筐体８０内の誘導路６０側に入り込むように盤面２ｂに沿って下方側に沈下することで、図８（Ｂ）、図９（Ｂ）に示す開放位置となるように構成されている。また、図６のように、開閉部材２１における下方突出部２１ｃ側の端部後方側には、外面が閉鎖部２１ｂの長手方向に対して傾斜するように切り欠かれた切欠部２１ｇが形成されており、このように切り欠かれているため、閉鎖部２１ｂが上下動しても傾斜壁部６４ａと干渉しないようになっている。
【００４８】
次に、ソレノイド４０について説明する。
ソレノイド４０は、「駆動手段」の一例に相当するものであり、「駆動源」として構成されるコイル部４１と、「駆動変位部」として構成されるプランジャ４２とを備えている。そして、図８、図９、図１１（Ｂ）のように、開閉部材２１の下方側で且つ上流側誘導樋５２の下方に配置され、さらに遊技盤２の後面よりも前側の領域に配置されている。そして、コイル部４１によってプランジャ４２（駆動変位部）を駆動することにより、後述する支持部材３０を保持位置と退避位置とで変位させるように機能している。
【００４９】
プランジャ４２は、軸状に構成されると共に、その一部がコイル部４１に形成された孔部４１ａ（図６、図７）内に挿入されるようになっており、この孔部４１ａに沿って移動することによりコイル部４１に対して直線的に相対移動するようになっている。このプランジャ４２は、フランジ状に構成された先端部が後述する支持部材３０と嵌合することで支持部材３０に一体的に連結されており、支持部材３０はプランジャ４２の変位に応じて直線的に往復動するようになっている。
【００５０】
コイル部４１は、孔部４１ａの周囲に巻き回された図示しないコイルを有しており、このコイルが通電されることにより、孔部４１ａの内部が励磁されるようになっている。このコイル部４１は、前飾り板８４ａと台板８２ａとによって前後が閉鎖された閉鎖空間に収容されており、具体的には、筐体８０の内部に形成された保持壁８１によって保持されるようになっている。保持壁８１は、図８（Ａ）、図９（Ａ）のように、コイル部４１の左右に配置される側壁部８１ｂ、８１ｃと、コイル部４１の下方に配置される底壁部８１ｄと、コイル部４１の上部に配置されるリブ８１ａとを備えており、これらは前飾り部材８４の一部として構成されている。また、コイル部４１は、前飾り板８４ａと台板８２ａ（具体的には穴部８２ｃの壁部（図６等））とによって前後方向の移動が規制されており、これら前飾り板８４ａ及び台板８２ａの一部（コイル部４１と当接する部分）も保持壁８１として機能している。
【００５１】
次に、支持部材３０について説明する。
支持部材３０は、図６、図７のような形態をなしており、開閉部材２１と連動可能に構成され、開閉部材２１を閉鎖位置で保持する保持位置と、保持位置から退避した退避位置とで変位するように機能している。この支持部材３０は、上面部が開閉部材２１を支持する平坦な支持部３１として構成されており、この支持部３１の下方には、プランジャ４２の先端部と嵌合する嵌合部３２が形成されている。図８、図９のように嵌合部３２がプランジャ４２の先端部と嵌合することでプランジャ４２と支持部材３０とが一体的に移動するようになっている。プランジャ４２は、コイル部４１の駆動及び駆動解除に伴って直線的に往復動するようになっており、支持部材３０は、プランジャ４２の変位に応じ、図８（Ａ）、図９（Ａ）に示す保持位置と、図８（Ｂ）図９（Ｂ）に示す退避位置とで直線的に往復動するようになっている。
【００５２】
また、支持部材３０は、前飾り板８４ａと台板８２ａとによって前後が閉鎖された閉鎖空間において、下面側がガイド部材７０によって支持されている。図６、図７等に示すように、ガイド部材７０の内部は左右方向に延びる溝状に構成されており、支持部材３０は、このガイド部材７０によって前後が拘束された状態で左右に往復動するようになっている。ガイド部材７０の底部には、左右方向に延びるリブ状のガイド部７０ａが形成されており、支持部材３０は、このガイド部７０ａによって支持されつつガイド部材７０内で往復動するようになっている。
【００５３】
このように構成される入賞装置１０では、コイル部４１が通電されていないときには、ばね部材４３の付勢によってプランジャ４２が突出位置で維持され、これにより支持部材３０が図８（Ａ）、図９（Ａ）に示す保持位置で維持されることになる。そして、このように支持部材３０が保持位置にあるときには、開閉部材２１の被作用部２１ａが支持部材３０の支持部３１と当接するため、開閉部材２１の下方への移動が規制され、開閉部材２１が閉鎖位置で保持され続ける。
【００５４】
そして、このように開閉部材２１が閉鎖位置にあるときには、被作用部２１ａの下方側が支持部３１によって支持（当接）され続けるため、開閉部材２１を開放位置に変位させようとする外力が加わっても、或いは、遊技球が開閉部材２１上を転がったり開閉部材２１に強く衝突したとしても、支持部材３０が保持位置にて開閉部材２１の変位を規制し続け、これにより開閉部材２１の開放が阻止される。特に、支持部材３０は、下方側がガイド部７０ａによって常時支持され且つ左右方向に往復動するように構成されており、更に、被作用部２１ａを支持する面（支持部３１の上面）が盤面２ａと略直交するように配されるため、強い力で被作用部２１ａを下方に移動させようとしても支持部材３０が位置変化せずに保持位置で維持されることになる。
【００５５】
一方、コイル部４１が通電されると、ばね部材４３の付勢に抗してプランジャ４２がコイル部４１内に引き込まれ、プランジャ４２が没入位置に移動する。これにより支持部材３０が図８（Ｂ）、図９（Ｂ）に示す退避位置で維持されることになる。そして、このように支持部材３０が退避位置となったときには、被作用部２１ａの下方側に移動スペースが生じるため、開閉部材２１は、一端側（下方突出部２１ｃ側）が自重により下降し、図８（Ｂ）、図９（Ｂ）のように開放位置で維持される。
【００５６】
また、支持部材３０が退避位置から保持位置に向けて直線的に動作したときには、開閉部材２１は、この支持部材３０によって押圧されることにより再び閉鎖位置に変位し、上述のように当該閉鎖位置で支持部材３０に支持され続ける。また、図８（Ａ）、図９（Ａ）等に示すように、保持壁８１におけるソレノイド４０の上側に配置される壁部には、開閉部材２１側に面するリブ８１ａが形成されており、このリブ８１ａは、開閉部材２１が開放位置となったときに回動軸Ｇ１を挟んで被作用部２１ａとは反対側に位置する端部２１ｅと当接することで、当該開閉部材２１がその当接位置を超えて回動することを規制している。このように、リブ８１ａは、開閉部材２１の回動を阻止するストッパーとしての機能を果たしている。すなわち、開閉部材２１は、回動軸Ｇ１を挟んで一端が支持部材３０の支持部３１に、他端がリブ８１ａによって支持されることとなり、遊技球が開閉部材２１に衝突した場合にその反発などによって、ガタつく（回動）することがなく、安定させることができる。
【００５７】
また、開閉部材２１は、回動軸Ｇ１が上流側誘導樋５２の下方に位置するように配置されている。このため、開閉部材２１を軸支している部分に対して遊技球による衝撃が直接加わらず、開閉部材２１を回動させるための機構を保護することができる。また、図８（Ｂ）のように、開閉部材２１は、開放位置に変位したときに下方突出部２１ｃの先端が筐体８０の下方側に形成された底壁部８１ｆに当接するようになっており、この当接により開放位置で安定的に維持されることとなる。また、底壁部８１ｆが開閉部材２１の下方側への移動を規制するストッパーとして機能するため、開閉部材２１がそれほど低い位置に沈み込まず、誘導路６０をある程度高い位置に設定できるようになっている。従って、誘導口２０から誘導路６０の底部までの距離を短くすることができる。
【００５８】
（第１実施形態の主な効果）
第１実施形態に係る入賞装置１０では、開閉部材２１が盤面２ａの前方側で変位するように構成されているため、開閉部材２１を駆動させるための機構や駆動手段をそれほど遊技機奥側（遊技盤２後方側）に配置する必要が無く、入賞装置全体として前後方向のコンパクト化を図りやすくなる。
一方、このように開閉部材２１を盤面２ａの前方側で変位させてコンパクト化を図ろうとすると、遊技球の衝突等に起因して開閉部材２１が開放してしまうことが懸念される。しかしながら、本実施形態では、開閉部材２１が閉鎖位置にある状態で当該開閉部材２１を開放位置に変位させようとする外力が加わったときに、支持部材３０が保持位置にて開閉部材２１の変位を規制することで開閉部材２１の開放が阻止されるため、開閉部材２１が閉鎖位置にあるときには開閉部材２１側からは開放できなくなる。特に、支持部材３０には、開閉部材２１の被作用部２１ａの移動方向と交差する方向に変位する支持部３１（作用部）が形成され、この支持部３１によって被作用部２１ａを支持することで開閉部材２１の変位を規制しているため、開閉部材２１に力を加えて直接移動させようとしても、この開閉部材２１と移動方向が異なる支持部材３０を変位させることができず、支持部材３０は保持位置に安定的に維持されることになる。従って、閉鎖位置にある開閉部材２１が遊技球の衝突に起因して開いてしまうようなことが無く、不正開放操作がなされたとしても、開閉部材２１の変位を安定的に規制し続けることができ、不正開放をより確実に防ぐことができる。
【００５９】
また、本実施形態において、開閉部材２１は、遊技盤２の盤面２ａと交差し誘導口２０の一端側寄りに形成された回動軸を中心として回動可能に配されている。そして、この開閉部材２１は、閉鎖部２１ｂが回動軸の径方向に延設された板状形態をなし、かつ、当該閉鎖部２１ｂが閉鎖位置のときよりも下方に回動変位して開放状態となるように構成されている。更に、支持部材３０は、保持位置において支持部３１が被作用部２１ａと当接することにより、開閉部材２１が外力に応じて開放位置に変位することを規制するように構成されている。
この構成では、開閉部材２１の自重を利用して開放状態に変位させることができるため、開閉部材２１を開放させるために力を加える部品を省略又は簡素化することができる。また、支持部材３０を当接させることで開閉部材２１の変位を規制し、支持部材３０を退避させることで規制を解除するといった簡単な機構で開閉部材２１のロック及びロック解除を実現することができる。更に、駆動手段によって駆動される支持部材３０と開閉部材２１の間に中間部材を介在させていないため、駆動手段の駆動力をより直接的に開閉部材に伝達でき、開閉動作をより俊敏に行うことができる。
【００６０】
また、本実施形態では、支持部材３０の少なくとも下方側において当該支持部材３０をガイドするガイド部７０ａが設けられている。そして、支持部材３０は、下面側がガイド部７０ａによって支持される構成をなし、且つ保持位置にあるときに上面側で開閉部材２１を支持するように構成されている。
この構成によれば、ガイド部７０ａによって支持部材３０を円滑且つ安定的に変位させることができる。特に支持部材３０は保持位置のときに上下方向に確実に位置決めされた状態で上面側の開閉部材２１を支持することができるため、閉鎖位置にある開閉部材２１がより安定的に保持されることとなる。
【００６１】
また、駆動手段は、コイル部４１と、該コイル部４１に対して直線的に相対移動するプランジャ４２とを備えたソレノイド４０によって構成されている。そして、支持部材３０は、プランジャ４２と一体的に移動可能に構成され、プランジャ４２の変位に応じて直線的に往復動するように構成されている。更に、開閉部材２１は、支持部材３０が退避位置にあるときに当該支持部材３０による支持が解除された状態で開放位置で維持され、支持部材３０が退避位置から保持位置に向けて直線的に動作したときに当該支持部材３０によって押圧されることにより閉鎖位置に変位し、且つ当該閉鎖位置で支持部材３０に支持され続けるように構成されていている。
この構成では、プランジャ４２と支持部材３０とを一体的且つ直線的に変位させており、支持部材３０自体の駆動構造を簡素化することができる。更に、支持部材３０と開閉部材２１との間に中間部材を介在させず、支持部材３０の直線的な変位を直接的に開閉部材２１に伝達しているため、中間部材によって力を変換することに起因するエネルギーの損失や中間部材の摺動等に起因する摩耗等が生じにくくなる。従って、寸法精度が低下しにくく、部品寿命も延ばしやすくなる。また、ソレノイドの駆動力をより直接的に開閉部材に伝達できるため、開閉動作をより俊敏に行うことができる。
【００６２】
また、筐体８０には、遊技盤２の盤面２ａに沿って配置され且つ開閉部材２１が閉鎖位置にあるときに当該開閉部材２１の上流側に隣接して配置される上流側誘導樋５２が形成されている。そして、上流側誘導樋５２の下流側の端部が誘導口２０の一部として構成されている。更に、開閉部材２１が閉鎖位置にあるときに、開閉部材２１の上面部及び上流側誘導樋５２の上面部によって上流側誘導樋５２を上流側とし開閉部材２１を下流側とするように外部流路が構成されている。
この構成によれば、開閉部材２１の閉鎖時には上流側誘導樋５２及び開閉部材２１の各上面部を外部流路として利用し、遊技領域において遊技球の誘導に役立てることができる。一方、開閉部材２１の開放時には外部流路を流下する遊技球を誘導口２０内に円滑に導くことが可能となる。
【００６３】
また、本実施形態では、ソレノイド４０（駆動手段）の少なくとも一部が上流側誘導樋５２の下方に配置され且つ遊技盤２の後面よりも前側の領域に配置されている。
このような構成では、遊技球を流下させにくい領域（上流側誘導樋５２の下方領域）を利用して駆動手段を効率的に配置することができる。そして、装置全体として後方側に嵩張らなくなり、前後方向のコンパクト化を図ることができる。
【００６４】
また、筐体８０には、遊技盤２の盤面２ａに沿って配置され且つ開閉部材２１が閉鎖位置にあるときに当該開閉部材２１の下流側に隣接して配置される下流側誘導樋５１が形成されている。そして、下流側誘導樋５１の上流側の端部が誘導口２０の一部として構成されており、更に、開閉部材２１が閉鎖位置にあるときに、開閉部材２１の上面部及び下流側誘導樋５１の上面部によって開閉部材２１を上流側とし下流側誘導樋５１を下流側とするように外部流路が構成されている。
この構成によれば、開閉部材２１の閉鎖時には開閉部材２１及び下流側誘導樋５１の各上面部を外部流路として利用し、遊技領域において遊技球の誘導に役立てることができる。一方、開閉部材２１の開放時には外部流路を流下する遊技球を誘導口２０内に円滑に導くことが可能となる。
【００６５】
また、筐体８０の内部には、誘導口２０側を上流側として当該誘導口２０から進入する遊技球を下流側に設けられた排出部６０ａへ誘導するように誘導路６０が形成されている。そして、遊技盤２の後面よりも前側の領域に、誘導路６０を通過する遊技球を検出する球検出部６２が設けられている。
この構成によれば、誘導口２０から進入した遊技球を下流側の排出部６０ａに円滑に導き、当該排出部６０ａから装置外に排出することができる。また、遊技盤２の後面よりも前側の領域を利用して球検出器を配置することができるため、入賞装置としての機能を果たし得る構成を、よりコンパクトに実現でき、特に遊技盤２の後方領域を有効に利用することが可能となる。
【００６６】
また、球検出部６２は、当該球検出部６２の上面部側から下面部側に連通するように遊技球通過孔６２ａが形成され、当該遊技球通過孔６２ａを通過する遊技球を検出するように構成され、更に、上面部の前端側が後端側よりも下方位置となるように傾斜した状態で筐体８０内に保持されている。
この構成によれば、遊技球を後方側且つ下方側に円滑に導きつつ当該遊技球を検出しうる構成をより小型構成で実現することができる。
【００６７】
また、筐体８０の内部には、誘導口２０側を上流側として当該誘導口２０から進入する遊技球を下流側に設けられた排出部６０ａへ誘導するように誘導路６０が形成されている。そして、開閉部材２１は、遊技盤２の盤面２ａと交差し誘導口２０の一端側寄りに形成された回動軸Ｇ１を中心として回動可能に配されると共に、閉鎖部２１ｂが回動軸Ｇ１の径方向に延設された板状形態をなし、かつ、当該閉鎖部２１ｂが閉鎖位置のときよりも下方に回動変位して開放状態となるように構成されている。更に、この開閉部材２１は、閉鎖部２１ｂにおける回動軸Ｇ１とは反対の端部側から下方に突出する下方突出部２１ｃが設けられ、閉鎖位置にあるときに下方突出部２１ｃが誘導路６０の上流側を閉鎖し、開放位置となったときに下方突出部２１ｃが誘導路６０から退避して当該誘導路６０と誘導口２０とを連通させるように構成されていてもよい。
この構成によれば、誘導口２０から進入した遊技球を下流側の排出部６０ａに円滑に導き、当該排出部６０ａから装置外に排出することができる。また、開閉部材２１が閉鎖位置にあるときに下方突出部２１ｃが誘導路６０の上流側を閉鎖するように構成されているため、誘導路６０内に流入した遊技球が上流側（特に開閉部材２１の回動域側）に入り込むことを防ぐことができ、誘導路６０内の遊技球をより円滑に下流側に導くことができる。
【００６８】
また、筐体８０において、遊技盤２の盤面２ａに隣接して配置される台板８２ａと、台板８２ａの前方側において当該台板８２ａと対向して配置される前飾り板８４ａとが設けられている。そして、少なくとも駆動手段の駆動変位部と支持部材３０とが、筐体８０内において前飾り板８４ａと台板８２ａとによって前後が閉鎖された閉鎖空間に収容されている。
この構成では、駆動手段の駆動変位部及び支持部材３０の前後を前飾り板８４ａと台板８２ａとによってカバーすることができるため、これら部品に対して前方からも後方からもアクセスし難くなる。従って、開閉部材２１だけでなく駆動変位部や支持部材３０に対する不正操作をも効果的に防止することができ、不正防止効果をより一層高めることができる。
【００６９】
また、筐体８０には、ソレノイド４０（駆動手段）を保持する保持壁８１が設けられ、保持壁８１においてソレノイド４０（駆動手段）の上側に配置される壁部には、開閉部材２１側に面するリブ８１ａが形成されている。そして、開閉部材２１は、遊技盤２の盤面２ａと交差する回動軸Ｇ１を中心として回動可能に配され、閉鎖位置にあるときに回動軸Ｇ１を挟んだ両側の内の誘導口２０を閉鎖する側が所定位置に配置され、閉鎖位置から回動して開放位置となったときに誘導口２０を閉鎖する側が所定位置よりも下方となるように構成され、誘導口２０を閉鎖する側の端部と回動軸Ｇ１との間に被作用部２１ａが設けられている。更に、筐体８０のリブ８１ａは、開閉部材２１が閉鎖位置となったときに回動軸Ｇ１を挟んで被作用部２１ａとは反対側に位置する部分と当接することで、当該開閉部材２１がその当接位置を超えて回動することを規制するように構成されている。
この構成によれば、保持壁８１によって駆動源を安定的に位置決めし保持することができる。また、保持壁８１に形成されたリブ８１ａを使用して開閉部材２１の回動範囲を規制することができ、開閉部材２１を適切な回動範囲内で変位させ得る構成をよりコンパクトに実現できる。
【００７０】
[第２実施形態]
次に、本発明の第２実施形態について説明する。
図１２（Ａ）は、第２実施形態に係る遊技機用可変入賞装置に関し、開閉部材が閉鎖位置にあるときの状態について前飾り板の後面付近で切断した切断面を概略的に示す断面図であり、図１２（Ｂ）は、その正面図である。また、図１３（Ａ）は、第２実施形態に係る遊技機用可変入賞装置に関し、開閉部材が開放位置にあるときの状態について前飾り板の後面付近で切断した切断面を概略的に示す断面図であり、図１３（Ｂ）は、その正面図である。
【００７１】
第２実施形態に係る遊技機用可変入賞装置２００は、前飾り部材８４の前飾り板８４ａの構成のみが第１実施形態と異なり、それ以外は第１実施形態と同様である。よって、前飾り板８４ａ以外の構成については、第１実施形態と同様の符号を付し、詳細な説明を省略する。
【００７２】
図１２に示すように、遊技機用可変入賞装置２００の前飾り板８４ａには、当該前飾り板８４ａを厚さ方向に貫通する貫通孔８４ｃが形成されている。この貫通孔８４ｃは、入賞装置２００の外部領域と内部領域（具体的には前飾り板８４ａの後方側における下方突出部２１ｃの可動領域）とを連通するように形成されている。そして、図１２のように、開閉部材２１が閉鎖位置にあるときには開閉部材２１が貫通孔８４ｃから外れるように退避し、正面視したときに貫通孔８４ｃの後方側に開閉部材２１が位置しないようになっている。即ち、正面視したときに貫通孔８４ｃを介して開閉部材２１が視認できないようになっている。一方、そして、図１３のように、開閉部材２１が開放位置にあるときには開閉部材２１の下方突出部２１ｃが貫通孔８４ｃの後方に位置するようになっており、正面視したときに貫通孔８４ｃを介して下方突出部が視認できるようになっている。なお、ここでは、下方突出部２１ｃを視認可能とするために貫通孔８４ｃを形成した例を示したが、下方突出部２１ｃが視認できれば貫通孔でなくてもよい。例えば、貫通孔８４ｃを設けず、当該貫通孔８４ｃの位置に透明部材を配置し、この透明部材を介して下方突出部２１ｃを確認するようにしてもよい。
【００７３】
（第２実施形態の主な効果）
第２実施形態に係る入賞装置２００の構成によれば、開閉部材２１が開放状態となっていることを遊技者が容易に確認することができる。特に、上記入賞装置２００は、正面視したときに誘導口２０が前飾り板８４ａの後方側に隠れる構成であり、誘導口２０を直接的に視認し難いため、誘導口２０が開放状態であるか否かを貫通孔８４ｃによって確認できるようにすると非常に有益であり、演出性も高くなる。
【００７４】
また、図１２、図１３の構成では、開閉部材２１が開放状態にあるときに貫通孔８４ｃを介して下方突出部２１ｃを視認できるように構成したが、視認可能とする部分は下方突出部に限られず、他の部分であってもよい。
【００７５】
また、貫通孔８４ｃを介して視認可能とする部分には様々な装飾を施すことができる。例えば、図１２等に示す下方突出部２１ｃの前面に「大当り」等の文字情報や大当りを連想させるマークなどを付した装飾部を設け、開閉部材２１が開放状態となったときにこのような装飾部が貫通孔８４ｃを介して視認可能となるように構成してもよい。このような構成とすることで、誘導口２０を開放させる時（例えば大当り時）の演出性をより一層高めることができる。また、開閉部材２１又は支持部材３０の動作（即ちソレノイド４０の動作）に連係する様な装飾部を形成してもよい。
【００７６】
[第３実施形態]
次に、本発明の第３実施形態について説明する。
図１４（Ａ）は、第３実施形態に係る遊技機用可変入賞装置に関し、開閉部材が閉鎖位置にあるときの状態について前飾り板の後面付近で切断した切断面を概略的に示す断面図であり、図１４（Ｂ）は、その一部を拡大して示す拡大図である。図１５（Ａ）は、第３実施形態に係る遊技機用可変入賞装置に関し、開閉部材が開放位置にあるときの状態について前飾り板の後面付近で切断した切断面を概略的に示す断面図であり、図１５（Ｂ）は、その一部を拡大して示す拡大図である。
【００７７】
第３実施形態に係る遊技機用可変入賞装置３００は、開閉部材２１の端部形状及び下流側誘導樋５１の上面部（壁部５１ａ）の端部形状のみが第１実施形態と異なり、それ以外は第１実施形態と同様である。よって、これら以外の構成については、第１実施形態と同様の符号を付し、詳細な説明を省略する。
【００７８】
第３実施形態に係る遊技機用可変入賞装置３００は、第１実施形態と同様の下流側誘導樋５１を備えている。この下流側誘導樋５１は、遊技盤２の盤面２ａに沿って配置されると共に、開閉部材２１が閉鎖位置にあるときに当該開閉部材２１の下流側に隣接するように構成されており、このとき、開閉部材２１の上面部（閉鎖部２１ｂの上面部分）及び下流側誘導樋５１の上面部（壁部５１ａの上面部分）により、開閉部材２１を上流側とし下流側誘導樋５１を下流側とするように外部流路が構成されるようになっている。
【００７９】
更に、開閉部材２１の上面部（閉鎖部２１ｂの上面部分）において下流側誘導樋５１寄りの端部には、下流側誘導樋５１に近づくにつれて低位置となるように傾斜するテーパ部２３ａが形成されている。また、下流側誘導樋５１の下面部５１ｂ（壁部５１ａの下面部分）において開閉部材２１寄りの端部には、開閉部材２１から離れるにつれて低位置となるように傾斜するテーパ部２３ｂが形成されている。このように構成されているため、図１５のように開閉部材２１が開放位置となったときには、開閉部材２１の上面部における下流側端部（即ち、テーパ部２３ａ付近）と下流側誘導樋５１の下面部５１ｂにおける上流側端部（即ち、テーパ部２３ｂ付近）との間が、奥側となるにつれて間隔が広がるような断面（具体的には盤面２ａと平行な断面）がハの字状の末広がりの構成となっている。
【００８０】
（第３実施形態の主な効果）
第３実施形態に係る入賞装置３００によれば、開閉部材２１の閉鎖時には開閉部材２１及び下流側誘導樋５１の各上面部を外部流路として利用し、遊技領域において遊技球Ｂの誘導に役立てることができる。一方、開閉部材２１の開放時には外部流路を流下する遊技球Ｂを誘導口２０内に円滑に導くことが可能となる。更に、上記テーパ部２３ａ，２３ｂが形成されているため、開閉部材２１が開放位置から閉鎖位置に復帰する際に下流側誘導樋５１と開閉部材２１との間で球噛みが発生し難くなる。仮にテーパ部２３ａ，２３ｂの付近で遊技球が若干の挟み込まれたとしても、図１５（Ｂ）の矢印のようにテーパ部２３ａ，２３ｂの傾斜によって遊技球が下流側に導かれ易いため、球噛みが迅速に解消され易くなる。
【００８１】
[第４実施形態]
次に、本発明の第４実施形態について説明する。
図１６（Ａ）は、第４実施形態に係る遊技機用可変入賞装置に関し、開閉部材が閉鎖位置にあるときの開閉部材、支持部材、及びソレノイドの構成を概略的に示す斜視図であり、
図１６（Ｂ）は、開閉部材が開放位置にあるときのこれらの状態を概略的に示す斜視図である。図１７（Ａ）は、第４実施形態に係る遊技機用可変入賞装置に関し、開閉部材が閉鎖位置にあるときの開閉部材、支持部材、及びソレノイドの構成を概略的に示す平面図であり、図１７（Ｂ）は、開閉部材が開放位置にあるときのこれらの状態を概略的に示す平面図である。図１８（Ａ）は、第４実施形態に係る遊技機用可変入賞装置に関し、開閉部材が閉鎖位置にあるときの開閉部材、支持部材、及びソレノイドの構成を概略的に示す正面図であり、図１８（Ｂ）は、開閉部材が開放位置にあるときのこれらの状態を概略的に示す正面図である。
【００８２】
第４実施形態に係る遊技機用可変入賞装置４００は、主として、支持部材４３０、作用部材４３２の構成、及びソレノイド４０の配置、及びこれらを収容可能とするように筐体８０の右半分が構成されている点が第１実施形態と異なり、それ以外（特に筐体の左半分側）は、第１実施形態と同様である。よって、第１実施形態と同様の部分については第１実施形態と同一の符号を付して詳細な説明は省略し、適宜図１〜図１１を参照することとする。なお、図１６〜図１８では、入賞装置４００のうち、第１実施形態と大きく異なる部分について説明することとする。例えば、筐体の左半分の構成や球検出部は第１実施形態と同様であるため詳細な図示は省略し、筐体の右半分の構成は、図１６〜図１８に示す各部品が収容可能な構成であれば良いため、詳細な図示は省略することとする。
【００８３】
遊技機用可変入賞装置４００では、開閉部材２１が第１実施形態と同様の構成で回動可能に保持されており、上述したように遊技盤２の盤面２ａに直交する回動軸Ｇ１を中心として回動するように図示しない筐体に保持されている。一方、入賞装置４００は、この開閉部材２１を駆動する構造が第１実施形態と異なっており、例えば、ソレノイド４０は、プランジャ４２の軸方向が遊技盤２の盤面２ａ（図１等）と直交する方向となるように配置されている。このプランジャ４２の軸方向は回動軸Ｇ１の方向とほぼ平行となっており回動軸Ｇ１の方向に沿って往復動するようになっている。そして、図１６（Ａ）、図１７（Ａ）等に示すようにコイル部４１が非励磁状態のときにはプランジャ４２の先端部が遊技盤２の盤面２ａ（図１等参照）の前方に突出するようになっている。なお、図１６〜図１８では、ばね部材４３（図６等参照）は省略しているが、ソレノイドの構成自体は第１実施形態と同様であり、非励磁状態のときには、ばね部材４３の付勢によってプランジャ４２が突出位置（図１６（Ａ）、図１７（Ａ））で維持され、励磁状態のときには、図１６（Ｂ）、図１７（Ｂ）のように、ばね部材４３の付勢に抗してプランジャ４２がコイル部４１の内部に引き込まれるようになっている。
【００８４】
更に、図１６〜図１８に示す入賞装置４００では、開閉部材２１の下方側に支持部材４３０が設けられている。この支持部材４３０は、開閉部材２１と連動可能に構成されると共に、開閉部材２１の回動軸Ｇ１と直交する方向に沿った中心軸Ｇ２を中心として回動するように構成されている。具体的には、プランジャ４２と一体的に往復動する作用部材４３２が設けられており、この作用部材４３２の変位に応じて支持部材４３０が回動するようになっている。例えば、プランジャ４２が図１６（Ａ）、図１７（Ａ）に示す突出位置にあるときには作用部材４３２も一体的に前方側に変位し、これに応じて支持部材４３０の延設部４３０ａが前方側に押し出されるようになっている。この延設部４３０ａは、支持部４３１に対して略直交する方向に延びており、延設部４３０ａが前方側に押し出されたときには、支持部４３１が被作用部２１ａの下方側に移動するようになっている。逆に、プランジャ４２が図１６（Ｂ）、図１７（Ｂ）に示す没入位置にあるときには作用部材４３２も一体的に後方側に変位し、これに応じて支持部材４３０の延設部４３０ａが後方側に引き込まれるようになっている。延設部４３０ａが後方側に引き込まれたときには、支持部４３１が被作用部２１ａの下方側から退避するようになっている。
【００８５】
このように構成されているため、図１６（Ａ）、図１７（Ａ）、図１８（Ａ）のように、プランジャ４２が突出位置にあるときには、支持部材４３０は、開閉部材２１を閉鎖位置で保持する位置（保持位置）に位置決めされるようになっている。この支持部材４３０の上面部（支持部４３１）も平坦に構成されており、上記保持位置のときには、この支持部４３１が開閉部材２１の被作用部２１ａと当接することで、開閉部材２１の一方側（下方突出部２３ｃ側）が下方側に移動することを規制している。一方、図１６（Ｂ）、図１７（Ｂ）、図１８（Ｂ）のように、プランジャ４２がコイル部４１に引き込まれた没入位置にあるときには、支持部材４３０は、上記保持位置から退避した退避位置に変位する。保持位置から退避位置に変位するときには、支持部４３１が中心軸Ｇ２を中心として回動することで被作用部２１ａと当接しない位置に退避し、これにより、被作用部２１ａの下方側への移動が許容されることになる。このように支持が解除されたときには、図１６（Ｂ）、図１７（Ｂ）、図１９（Ｂ）のように開閉部材２１の一端側（下方突出部２３ｃ側）が自重により下降し、開閉部材２１が開放位置に変位することになる。
【００８６】
（第４実施形態の主な効果）
第４実施形態に係る入賞装置４００の構成によれば、ソレノイド４０を前後方向に配置することができ、プランジャ４２も前後に進退させることができるため、左右方向のコンパクト化を図りやすくなる。また、ソレノイド４０の部分だけが後方側に突出し、その他の部分については他の実施形態と同様に遊技盤２の後面よりも前方側に配置することができるため、この点で、前後方向のコンパクト化を図ることもできる。また、プランジャ４２と支持部材４３０との間に、支持部材４３０を可動させる作用部材４３２（梃子）を介在させているため、この作用部材４３２（梃子）の形状、構成を調整することで、ソレノイド４０の位置決めを柔軟に行いやすくなる。
【００８７】
[第５実施形態]
次に、本発明の第５実施形態について説明する。
図１９（Ａ）は、第５実施形態に係る遊技機用可変入賞装置に関し、開閉部材が閉鎖位置にあるときの開閉部材、支持部材、及びソレノイドの構成を概略的に示す斜視図であり、
図１９（Ｂ）は、開閉部材が開放位置にあるときのこれらの状態を概略的に示す斜視図である。図２０（Ａ）は、第５実施形態に係る遊技機用可変入賞装置に関し、開閉部材が閉鎖位置にあるときの開閉部材、支持部材、及びソレノイドの構成を概略的に示す正面図であり、図２０（Ｂ）は、開閉部材が開放位置にあるときのこれらの状態を概略的に示す正面図である。
【００８８】
第５実施形態に係る遊技機用可変入賞装置５００は、支持部材３０の構成のみが第１実施形態と異なり、それ以外は第１実施形態と同様である。よって、支持部材３０以外の構成については、第１実施形態と同様の符号を付し、詳細な説明を省略する。また支持部材３０は、延出部７２が形成されている点が第１実施形態と異なり、それ以外は第１実施形態と同様である。よって支持部材３０において延出部７２以外の構成については第１実施形態と同一の符号を付し、詳細な説明は省略する。また、第１実施形態と同様の部分については適宜図１〜図１１を参照することとする。
【００８９】
第５実施形態の入賞装置５００でも、開閉部材２１は図８等に示す構成と同様の構成で筐体８０に保持されている。即ち、開閉部材２１は、遊技盤２の盤面２ａと交差する回動軸Ｇ１を中心として回動可能に配され、閉鎖位置にあるときには、図１９（Ａ）、図２０（Ａ）のように一端側（下方突出部２１ｃ側）が所定位置に配置され、閉鎖位置から回動して開放位置となったときには、図１９（Ｂ）、図２０（Ｂ）のように一端側が所定位置よりも下方となるように構成されている。また、この開閉部材２１も、回動軸Ｇ１よりも前記一端側寄り（即ち下方突出部２１ｃ寄り）において支持部材３０に支持される被作用部２１ａが第１実施形態と同様の構成で設けられており、支持部材３０が保持位置にあるときに当該支持部材３０によって支持されるようになっている。
【００９０】
本実施形態で用いられる支持部材３０は、保持位置のときに被作用部２１ａを受ける支持部３１（支持部３１は「作用部」の一例に相当）と、この支持部３１（作用部）と一体的に設けられた延出部７２とを備えている。支持部３１は、第１実施形態と同様の構成をなしており、支持部材３０の上面部として平坦に構成されている。また、延出部７２は、支持部３１と一体的に構成されると共に支持部３１の付近から後方側に延び出ており、ソレノイド４０の上方位置において左右方向に変位するように構成されている。
【００９１】
このように構成される入賞装置５００では、図１９（Ａ）、図２０（Ａ）のように支持部材３０が保持位置にあるときには、閉鎖位置にある開閉部材２１の被作用部２１ａを支持部３１（作用部）によって支持している。一方、プランジャ４２の後退に応じて支持部材３０が保持位置から退避位置に変位する際には、第１実施形態と同様、支持部３１（作用部）を被作用部２１ａ側から退避させることで開閉部材２１の支持を解除する。開閉部材２１が保持位置から退避位置に変位することに伴い、延出部７２は開閉部材２１の端部２１ｅ側に移動し、この端部２１ｅ（即ち、開閉部材２１において回動軸Ｇ１を挟んで被作用部２１ａとは反対側に位置する部分）を端部７２ａによって押圧する。この端部７２ａは、外面が斜め上方側に向くようにテーパ状に構成されており、延出部７２の端部７２ａが開閉部材２１の端部２１ｅを押圧したときには、この端部２１ｅに上方側への移動力が生じ、開閉部材２１には被作用部２１ａ側（即ち、下方突出部２１ｃ側）を下方側に移動させる方向の回転力が加わるようになっている。
【００９２】
（第５実施形態の主な効果）
第５実施形態の入賞装置５００によれば、開閉部材２１を開放位置に移動させる際に、支持部３１（作用部）の退避に起因する力（自重による下降力等）だけでなく、延出部７２による押圧で生じる回転力をも付加することができ、開閉部材２１をより迅速かつ確実に回転させて即座に開放位置に移動させることができる。また、仮に、埃などの異物が入り込んで、開閉部材２１の動きが鈍くなった場合にも、延出部７２が開閉部材２１を蹴りあげるので、問題なく、開閉部材２１を開放させることができる。
【００９３】
[第６実施形態]
次に、本発明の第６実施形態について説明する。
本実施形態の入賞装置６００は、第１実施形態と同様の遊技機における遊技盤の盤面に取り付けられるものである。なお、入賞装置６００以外の遊技機の構成は、第１実施形態と同様であるため、適宜図１等を参照することとする。
【００９４】
図２１、図２２に示すように、第６実施形態に係る入賞装置６００は、主として、筐体６８０、開閉部材６２１、ソレノイド４０、支持部材６３０、ガイド部材６７０、球検出部６２を備えている。
【００９５】
筐体６８０は、支持部材６３０、開閉部材６２１、ソレノイド４０、ガイド部材６７０、球検出部６２等を収容すると共に入賞装置６００の外殻をなすものであり、例えば樹脂材料などによって箱状に構成されている。この筐体６８０は、図２１、図２２に示すように、前方側に配される前飾り部材６８４と、後方側に配される台板部材６８２と、ソレノイド４０等を保持して台板部材６８２に取り付けられる保持部材６８３とによって構成されており、これらが、ねじ等の締結部材６９４によって一体的に組み付けられている。
【００９６】
図２１、図２２に示すように、前飾り部材６８４は、遊技盤２の盤面と略平行に配置される板状の前飾り板６８４ａと、この前飾り板６８４ａから後方に突出する周壁部６８４ｂとを備えており、周壁部６８４ｂが、前飾り板６８４ａの外周に沿って略環状に配置されるようになっている。前飾り部材６８４に組み付けられる台板部材６８２は、遊技盤２の盤面２ａに隣接して配置される板状の台板６８２ａと、この台板６８２ａから後方に突出する後方配置部６８２ｂとを備えている。保持部材６８３は、前飾り部材６８４と台板部材６８２の間に配置されており、台板６８２ａの前面側から当該台板６８２ａに組み付けられるようになっている。なお、図２１、図２２では、周壁部６８４ｂが前飾り板６８４ａの外周に沿って形成された例を示したが、周壁部６８４ｂの一部又は全部が、前飾り板６８４ａの外周よりも所定距離内側に形成されるような構成であってもよい。また、前飾り板６８４ａが省略され、周壁部６８４ｂの前方が開口する形態で形成される構成であってもよい。
【００９７】
これら前飾り部材６８４、台板部材６８２、保持部材６８３からなる筐体６８０は、開閉部材６２１、ソレノイド４０、支持部材６３０、ガイド部材６７０、球検出部６２等を内部に収容して直接的に保持するように構成されている。具体的には、図２４等に示すように、台板部材６８２と保持部材６８３とによって前後方向に挟まれた構成でソレノイド４０、支持部材６３０、ガイド部材６７０が配置されている。また、保持部材６８３の上方側において台板部材６８２と前飾り部材６８４とによって前後方向に挟まれた構成で開閉部材６２１が配置されている。また、台板部材６８２の後方配置部６８２ｂの内部には、第１実施形態と同様の球検出部６２が嵌まり込んだ状態で組み付けられている。
【００９８】
本実施形態でも、筐体６８０の上面部には、遊技盤２（図１）の盤面（前面）に沿うように誘導樋が形成されるようになっている。この誘導樋は、開閉部材６２１が閉鎖位置にあるときに当該開閉部材６２１の上流側に隣接して配置される上流側誘導樋と、開閉部材６２１が閉鎖位置にあるときに当該開閉部材６２１の下流側に隣接して配置される下流側誘導樋とにより構成されており、上流側誘導樋と下流側誘導樋との間が誘導口６２０となっている。具体的には、前飾り部材６８４の周壁部６８４ｂの一部をなす上側の壁部６５２ａが上流側誘導樋の底壁部となっており、もう一方の上側の壁部６５１ａが下流側誘導樋の底壁部となっている。上流側誘導樋は、この壁部６５２ａと、前飾り板６８４ａ及び台板６８２ａにおける壁部６５２ａに隣接する部分とによって構成されており、壁部６５２ａ上を転がるように遊技球が流下するようになっている。また、下流側誘導樋は、この壁部６５１ａと、前飾り板６８４ａ及び台板６８２ａにおける壁部６５１ａに隣接する部分とによって構成されており、壁部６５１ａ上を転がるように遊技球が流下するようになっている。この誘導樋では、壁部６５２ａにおける左右方向一方側（壁部６５１ａ側）の端部と、壁部６５１ａにおける左右方向他方側（壁部６５２ａ側）の端部と、前飾り板６８４ａと、台板６８２ａとによって誘導口６２０が形成されており、これらによって囲まれる開口領域が遊技球の取り込み口となっている。この構成では、図２４、図２５のように開閉部材６２１が閉鎖位置にあるときには、上流側誘導樋によって誘導口６２０側に導かれた遊技球が開閉部材６２１の上を転がり、下流側誘導樋に導かれることとなる。また、図２６のように後述する開閉部材６２１が開放位置にあるときには、上流側誘導樋によって誘導口６２０側に導かれた遊技球が誘導口６２０から内部に進入することとなる。
【００９９】
また、図２４（Ａ）のように、筐体６８０の内部には、誘導口６２０側を上流側として当該誘導口６２０から進入する遊技球を下流側に設けられた排出部６６０ａ（図２４（Ｂ）参照）へ誘導する誘導路６６０が形成されている。なお、図２４（Ａ）は、前飾り板６８４ａが省略されているため、前飾り板６８４ａによって構成される誘導路６６０の前側の内壁及び周壁部６８４ｂにおける側壁（具体的には左側の側壁）によって構成される誘導路６６０の左側の内壁は省略されている。この誘導路６６０は、遊技球を１球ずつ通す流路として機能しており、具体的には、前飾り板６８４ａの後方側且つ球検出部６２の前方側において、壁部６５１ａ（図２１）と底壁部６６４ｂとの間を遊技球（誘導口６２０から進入した遊技球）が通るようになっている。また、壁部６５１ａと底壁部６６４ｂとによって上下が閉塞された空間の後方側には、途中に遊技球通過孔６２ａを介在させて排出部６６０ａが連通している。また、傾斜壁部６６４ａは、上端側が後方位置となり、下端側が前方位置となるように傾斜しており、誘導口６２０の直下の後方側に進入した遊技球を前方側の底壁部６６４ｂ上に誘導するように機能している。
【０１００】
球検出部６２は、上面部６２ｂの一部が誘導路６６０内に面し、他の部分が傾斜壁部６６４ａに覆われるように筐体６８０の内部に保持されており、上面部６２ｂの誘導路６６０内に面する部分において上面部６２ｂ側から下面部６２ｃ側に連通するように遊技球通過孔６２ａが形成されている。そして、この遊技球通過孔６２ａを通過する遊技球を検出するように構成されている。
【０１０１】
次に、開閉部材６２１について説明する。
開閉部材６２１は、図２３等に示すように長手状且つ略板状に構成されており、上述の誘導口６２０（図２１）を閉塞し得るように筐体６８０に保持されている。この開閉部材６２１は、遊技盤２（図１）の盤面（前面）の前方側において、誘導口６２０を閉鎖状態とする閉鎖位置（図２４、図２５）と、誘導口６２０を閉鎖状態よりも遊技球Ｂが進入しやすい開放状態とする開放位置（図２６）とで変位するようになっている。
【０１０２】
図２３等に示すように、開閉部材６２１には、軸部材６２２が挿し通される孔部６２１ｆが形成されており、孔部６２１ｆに軸部材６２２が挿し通された状態でこの軸部材６２２の両端部が前飾り部材６８４と台板部材６８２とによって保持されるようになっている。これにより、開閉部材６２１は、筐体６８０に保持された状態で軸部材６２２を中心として回動可能となり、遊技盤２の盤面（前面）と交差する回動軸Ｇ１（軸部材６２２の中心となる仮想軸）を中心として回動することとなる。また、開閉部材６２１は、当該開閉部材６２１の長手方向一方側寄りの回動軸Ｇ１を中心として回動するようになっており、図２４、図２５のように閉鎖位置にあるときには、一端側（長手方向において回動軸Ｇ１とは反対側）が所定位置（具体的には、壁部６５１ａの上流側端部に隣接する位置）に配置され、図２６のように閉鎖位置から回動して開放位置となったときには、この一端側が所定位置よりも下方に変位して壁部６５１ａから離間するようになっている。
【０１０３】
図２３等に示すように、開閉部材６２１は、主として、誘導口６２０を閉鎖可能な板状の閉鎖部６２１ｂと、閉鎖部６２１ｂの一端側から下方に突出する下方突出部６２１ｃと、回転軸Ｇ１から閉鎖部６２１ｂとは反対側に延出する延出部６２１ｄと、閉鎖部６２１ｂの下面側に設けられた被作用部６２１ａとを備えている。この被作用部６２１ａは、後述する支持部材６３０によって支持される部分であり、図２５のように支持部材６３０の先端部６３１が被作用部６２１ａの下方に位置しているときには、この先端部６３１と当接し、下方側への移動が規制されるようになっている。一方、この開閉部材６２１は、図２６のように支持部材６３０の先端部６３１が被作用部６２１ａの下から退避したときには、支持部材６３０による支持（当接）が解除され、図２５のときよりも下方側に移動し得るようになっている。このように、開閉部材６２１は、図２４、図２５のような状態から、閉鎖部６２１ｂが筐体６８０内の誘導路６６０側に入り込むように遊技盤２（図１）の盤面に沿って下方側に沈下することで、図２６に示す開放位置となるように構成されている。また、図２５のように、開閉部材６２１における下方突出部６２１ｃ側の端部後方側には、外面が閉鎖部６２１ｂの長手方向に対して傾斜するように切り欠かれた切欠部６２１ｇが形成されており、このように切り欠かれているため、閉鎖部６２１ｂが上下動しても傾斜壁部６６４ａ（図２４（Ａ））と干渉しないようになっている。
【０１０４】
ソレノイド４０は、第１実施形態と同様の構成をなしており、第１実施形態と同様のコイル部４１、プランジャ４２、ばね部材（第１実施形態のばね部材４３（図６、図８））と同様のばね部材であり、図２１等では図示略）を備えている。そして、第１実施形態と同様に動作するようになっている。
【０１０５】
次に、支持部材６３０について説明する。
支持部材６３０は、図２３、図２５のような構成をなしており、開閉部材６２１と連動可能に構成され、開閉部材６２１を閉鎖位置で保持する保持位置（保持回動位置：特に図２５（Ｂ）参照）と、保持位置から退避した退避位置（退避回動位置：特に図２６（Ｂ）参照）とで変位するように機能している。この支持部材６３０は、開閉部材６２１の下方において開閉部材６２１の回動軸Ｇ１と略平行に位置する前後方向の揺動軸線Ｇ２周りで揺動し得るように保持部材６８３と台板部材６８２とによって揺動可能に保持されており、且つ一端側（先端部６３１側）が揺動軸線Ｇ２の上方側に延びた構成で配されている。そして、揺動軸線Ｇ２の上方側に延出して配される先端部６３１が「作用部」として構成されると共に当該支持部材６３０の揺動軸線Ｇ１周りの揺動に応じて被作用部６２１ａの移動方向と交差する方向に変位するように構成されている。
【０１０６】
この支持部材６３０は、図２３等に示すように、主として、筒状部６３０ａと、この筒状部６３０ａの外周部から延出する延出部６３０ｂと、この延出部６３０ｂの中間位置において後方側に延出する突起部６３０ｃとによって構成されており、筒状部６３０ａが筐体６８０に回動可能に保持されると共に、延出部６３０ｂが筒状部６３０ａから軸半径方向に延びた状態で配置されている。そして、この延出部６３０ｂから後方に突出する突起部６３０ｃが後述するガイド部材６７０と嵌合ないし遊嵌するようになっている。
【０１０７】
ガイド部材６７０は、左右方向に往復動し得るように保持部材６８３と台板部材６８２とによって保持されており、ソレノイド４０におけるプランジャ４２の動作に応じて図２５（Ｂ）等に示す第１位置（コイル部４１からある程度距離が離れた所定位置）と図２６（Ｂ）等に示す第２位置（第１位置のときよりもコイル部４１側に接近する位置）との間で往復動するようになっている。具体的には、プランジャ４２の先端部と嵌合する嵌合部６７１と支持部材６３０の突起部６３０ｃを受ける受部６７２とを備えており、少なくとも前方側に開放してなる受部６７２が突起部６３０ｃと嵌合ないし遊嵌した状態で第１位置（図２５（Ａ）参照）と第２位置（図２６（Ａ）参照）とに変位するようになっている。そして、第１位置のときには、突起部６３０ｃをある程度コイル部４１から離すことにより（即ち、左右方向において回動軸Ｇ１側から離すことにより）、延出部６３０ｂを全体的に回動軸Ｇ１側から離し、第２位置のときには、突起部６３０ｃをある程度コイル部４１に近づけることにより、延出部６３０ｂを全体的に回動軸Ｇ１側に近づけるようになっている。
【０１０８】
このように構成される入賞装置６００では、コイル部４１が通電されていないときには、ばね部材（図６のばね部材４３と同様のばね部材であり、「付勢手段」の一例に相当）の付勢によってプランジャ４２が突出位置で維持され、これにより支持部材６３０が図２５に示す保持位置で維持されることになる。そして、このように支持部材６３０が保持位置にあるときには、当該支持部材６３０の一端部（先端部６３１）が揺動軸線Ｇ２の真上の位置近傍（真上の位置又は当該真上の位置に対して回動軸Ｇ１とは反対側の位置）に保持され、開閉部材６２１の被作用部６２１ａを受ける作用部として機能することになる。このとき、開閉部材６２１の被作用部６２１ａが支持部材６３０の先端部６３１（支持部）と当接し、開閉部材６２１の下方への移動が規制されるため、開閉部材６２１は閉鎖位置で保持され続ける。本構成では、開閉部材６２１の回動に応じて被作用部６２１ａが上下に移動し得るようになっており、先端部６３１は、支持部材６３０の揺動に応じて被作用部６２１ａの移動方向と交差する方向（具体的には、ほぼ左右方向）に移動するようになっている。そして、支持部材６３０が上記保持位置にあるときには、被作用部６２１ａと交差する移動経路をとる先端部６３１が被作用部６２１ａの移動経路上に保持され続けるため、開閉部材６２１は沈下することなく所定位置で安定的に保持されることになる。
【０１０９】
また、本実施形態では、プランジャ４２を突出方向に移動させようとするばね部材（付勢手段）の付勢により、支持部材６３０の一端部（先端部６３１）を回動軸Ｇ１から遠ざかる方向に付勢するように常時付勢力が加わるようになっており、ソレノイド４０（駆動手段）は、通電時に、このようなばね部材による付勢に抗して支持部材６３０の一端部（先端部６３１）を回動軸Ｇ１側に移動させるように駆動力を与えるようになっている。そして、開閉部材６２１の下面側には、先端部６３１と当接する下壁部（被作用部６２１ａ）の一端側（回動軸Ｇ１とは反対側）に隣接して下方側に突出するストッパー６２１ｅが形成されており、このストッパー６２１ｅは、支持部材６３０の先端部６３１が被作用部６２１ａが形成された所定位置を超えて回動軸Ｇ１側とは反対側（即ち、下方突出部６２１ｃ側）に移動することを規制するように機能している。そして、支持部材６３０が保持位置にあるときには、図２５のように当該支持部材６３０の先端部６３１が上記ばね部材（付勢手段）によって付勢されつつストッパー６２１ｅに当接することで、揺動軸線Ｇ２の真上の位置又はその近傍である当該真上の位置に対して回動軸Ｇ１とは反対側の位置で安定的に保持されるようになっている。
【０１１０】
このように支持部材６３０が保持位置にあるときには、被作用部６２１ａの下側が先端部６３１（作用部）によって支持（当接）され続けるため、開閉部材６２１を開放位置に変位させようとする外力が加わっても、或いは、遊技球が開閉部材６２１上を転がったり開閉部材６２１に強く衝突したとしても、支持部材６３０が保持位置にて開閉部材６２１の変位を規制し続け、これにより開閉部材６２１の開放が阻止される。
【０１１１】
一方、コイル部４１が通電されると、図示しない上記ばね部材の付勢に抗してプランジャ４２がコイル部４１内に引き込まれ、プランジャ４２が没入位置に移動する。これにより支持部材６３０が図２６に示す退避位置で維持されることになる。本構成では、プランジャ４２がコイル部４１内に引き込まれたときに支持部材６３０が図２６のように回動し、支持部材６３０の一端部（先端部６３１）が被作用部６２１ａの下方から回動軸Ｇ１側に退避する。そして、このように支持部材６３０が退避位置となったときには、被作用部６２１ａの下方側に移動スペースが生じるため、開閉部材６２１は、一端側（下方突出部６２１ｃ側）が自重により下降し、図２６のように開放位置で維持されることになる。
【０１１２】
また、支持部材６３０が退避位置から保持位置に向けて動作したときには、開閉部材６２１は、この支持部材６３０によって押圧されることにより再び閉鎖位置に変位し、上述のように当該閉鎖位置で支持部材６３０に支持され続ける。
【０１１３】
[第７実施形態]
次に、本発明の第７実施形態について説明する。
本実施形態の入賞装置７００は、第１実施形態と同様の遊技機における遊技盤の盤面に取り付けられるものである。なお、入賞装置７００以外の遊技機の構成は、第１実施形態と同様であるため、適宜図１等を参照することとする。
【０１１４】
図２７〜図２９に示すように、第７実施形態に係る入賞装置７００は、主として、筐体７８０、開閉部材７２１、ソレノイド４０、支持部材３０、球検出部６２を備えている。なお、ソレノイド４０、支持部材３０、球検出部６２は、第１実施形態と同様の構成であるので、第１実施形態と同一の符号を付し、詳細な説明は省略する。
【０１１５】
筐体７８０は、支持部材３０、開閉部材７２１、ソレノイド４０、球検出部６２等を収容すると共に入賞装置７００の外殻をなすものであり、例えば樹脂材料などによって箱状に構成されている。この筐体７８０は、図２８、図２９に示すように、前方側に配される前飾り部材７８４と、後方側に配される台板部材７８２と、これら前飾り部材７８４及び台板部材７８２の間に配置される第１内側部材７８３、第２内側部材７８５、を備えており、これらが、ねじ等の締結部材７９４によって一体的に組み付けられている。そして、これら前飾り部材７８４、台板部材７８２、第１内側部材７８３、第２内側部材７８５、からなる筐体７８０は、開閉部材７２１、ソレノイド４０、支持部材３０、球検出部６２等を内部に収容して直接的に保持している。なお、第１内側部材７８３は装飾レンズとして機能し、発光素子を実装した基板７８６が装飾レンズ（第１内側部材７８３）の下側に配置されており、基板７８６に実装された発光素子が装飾レンズ（第１内側部材７８３）の下側に位置して上方側の当該装飾レンズ（第１内側部材７８３）を照らすことにより、当該装飾レンズ（第１内側部材７８３）自体が光るようになっている。
【０１１６】
本実施形態でも、筐体７８０の上面部には、遊技盤２（図１）の盤面（前面）に沿うように誘導樋が形成されるようになっている。この誘導樋は、開閉部材７２１が閉鎖位置にあるときに当該開閉部材７２１の上流側に隣接して配置される上流側誘導樋と、開閉部材７２１が閉鎖位置にあるときに当該開閉部材７２１の下流側に隣接して配置される下流側誘導樋とにより構成されており、上流側誘導樋と下流側誘導樋との間が誘導口７２０となっている。具体的には、前飾り部材７８４の周壁部７８４ｂの一部をなす上側の壁部７５２ａが上流側誘導樋の底壁部となっており、もう一方の上側の壁部７５１ａが下流側誘導樋の底壁部となっている。上流側誘導樋は、この壁部７５２ａと、前飾り板７８４ａ及び台板７８２ａにおける壁部７５２ａに隣接する部分とによって構成されており、壁部７５２ａ上を転がるように遊技球が流下するようになっている。また、下流側誘導樋は、この壁部７５１ａと、前飾り板７８４ａ及び台板７８２ａにおける壁部７５１ａに隣接する部分とによって構成されており、壁部７５１ａ上を転がるように遊技球が流下するようになっている。この誘導樋では、壁部７５２ａにおける左右方向一方側（壁部７５１ａ側）の端部と、壁部７５１ａにおける左右方向他方側（壁部７５２ａ側）の端部と、前飾り板７８４ａと、台板７８２ａとによって誘導口７２０が形成されており、これらによって囲まれる開口領域が遊技球の取り込み口となっている。この構成では、図３０のように開閉部材７２１が閉鎖位置にあるときには、上流側誘導樋によって誘導口７２０側に導かれた遊技球が開閉部材７２１の上を転がり、下流側誘導樋に導かれることとなる。また、図３１（Ａ）のように後述する開閉部材７２１が開放位置にあるときには、上流側誘導樋によって誘導口７２０側に導かれた遊技球が誘導口７２０から内部に進入することとなる。
【０１１７】
また、図３０等のように、筐体７８０の内部には、誘導口７２０側を上流側として当該誘導口７２０から進入する遊技球を下流側に設けられた排出部７６０ａ（図２９参照）へ誘導する誘導路７６０が形成されている。この誘導路７６０は、遊技球を１球ずつ通す流路として機能しており、具体的には、前飾り板７８４ａの後方側且つ球検出部６２の前方側において、壁部７５１ａと底壁部７６４ｂとの間を遊技球（誘導口７２０から進入した遊技球）が通るようになっている。また、壁部７５１ａと底壁部７６４ｂとによって上下が閉塞された空間の後方側には、途中に遊技球通過孔６２ａを介在させて排出部７６０ａが連通している。
【０１１８】
球検出部６２は、上面部６２ｂの一部が誘導路７６０内に面するように筐体７８０の内部に保持されており、上面部６２ｂの誘導路７６０内に面する部分において上面部６２ｂ側から下面部側に連通するように遊技球通過孔６２ａが形成されている。そして、この遊技球通過孔６２ａを通過する遊技球を検出するように構成されている。
【０１１９】
次に、開閉部材７２１について説明する。
開閉部材７２１は、図２８、図２９等に示すように、長手状且つ略板状に構成されており、上述の誘導口７２０（図２７等）を閉塞し得るように筐体７８０に保持されている。この開閉部材７２１は、遊技盤２（図１）の盤面（前面）の前方側において、誘導口７２０を閉鎖状態とする閉鎖位置（図３０）と、誘導口７２０を閉鎖状態よりも遊技球が進入しやすい開放状態とする開放位置（図３１（Ａ））とで変位するようになっている。
【０１２０】
図２８等に示すように、開閉部材７２１には、軸部７２２が挿し通される孔部７２１ｆが形成されており、孔部７２１ｆに軸部７２２が挿し通された状態で筐体７８０に回動可能に保持されている。これにより、開閉部材７２１は、筐体７８０に保持された状態で軸部７２２を中心として回動可能となり、遊技盤２の盤面（前面）と交差する回動軸Ｇ１（軸部７２２の中心となる仮想軸）を中心として回動することとなる。また、開閉部材７２１は、当該開閉部材７２１の長手方向一方側寄りの回動軸Ｇ１を中心として回動するようになっており、図３０のように閉鎖位置にあるときには、一端側（長手方向において回動軸Ｇ１とは反対側）が所定位置（具体的には、壁部７５１ａの上流側端部に隣接する位置）に配置され、図３１（Ａ）のように閉鎖位置から回動して開放位置となったときには、この一端側が所定位置よりも下方に変位して壁部７５１ａから離間するようになっている。
【０１２１】
図２８等に示すように、開閉部材７２１は、主として、誘導口７２０を閉鎖可能な板状の閉鎖部７２１ｂと、閉鎖部７２１ｂの下面側において下方側に突出するように設けられた被作用部７２１ａと、閉鎖部７２１ｂの下面側における被作用部７２１ａよりも先端側の位置において下方側に突出するように設けられた突出部７２１ｃとを備えている。図３０（Ｂ）に示すように、被作用部７２１ａは、支持部材３０が保持位置にあるときに当該支持部材３０によって支持される部分であり、図３０（Ｂ）のように支持部材３０が被作用部７２１ａの下方に位置しているときには、この支持部材３０と当接し、下方側への移動が規制されるようになっている。一方、この開閉部材７２１は、図３１（Ａ）のように支持部材３０が被作用部７２１ａの下から退避したときには、支持部材３０による支持（当接）が解除され、図３０（Ｂ）のときよりも先端側が下方側に移動し得るようになっている。このように、開閉部材７２１は、図３０のような状態から、閉鎖部７２１ｂが筐体７８０内の誘導路７６０側に入り込むように遊技盤２（図１）の盤面に沿って下方側に沈下することで、図３１（Ａ）に示す開放位置となるように構成されている。
【０１２２】
ソレノイド４０は、第１実施形態と同様の構成をなしており、第１実施形態と同様のコイル部４１、プランジャ４２、ばね部材（第１実施形態のばね部材４３（図６、図８）と同様のばね部材であり、図２８等では図示略）を備えている。そして、第１実施形態と同様に動作するようになっている。
【０１２３】
このように構成される入賞装置７００では、コイル部４１が通電されていないときには、ばね部材（図６のばね部材４３と同様のばね部材）の付勢によってプランジャ４２が突出位置で維持され、これにより支持部材３０が図３０（Ｂ）に示す保持位置で維持されることになる。そして、このように支持部材３０が保持位置にあるときには、開閉部材７２１の被作用部７２１ａが支持部材３０の支持部３１（上面部）と当接し、開閉部材７２１の下方への移動が規制されるため、開閉部材７２１は閉鎖位置で保持され続ける。このときには、被作用部７２１ａの下方側が支持部材３０によって支持（当接）され続けるため、開閉部材７２１を開放位置に変位させようとする外力が加わっても、或いは、遊技球が開閉部材７２１上を転がったり開閉部材７２１に強く衝突したとしても、支持部材３０が保持位置にて開閉部材７２１の変位を規制し続け、これにより開閉部材７２１の開放が阻止される。
【０１２４】
一方、コイル部４１が通電されると、図示しない上記ばね部材の付勢に抗してプランジャ４２がコイル部４１内に引き込まれ、プランジャ４２が没入位置に移動する。これにより支持部材７３０が図３１（Ａ）に示す退避位置で維持されることになる。本構成では、プランジャ４２がコイル部４１内に引き込まれたときに支持部材３０が被作用部７２１ａの下方から回動軸Ｇ１側に退避する。そして、このように支持部材３０が退避位置となったときには、被作用部７２１ａの下方側に移動スペースが生じるため、開閉部材７２１は自重により下降し、図３１（Ａ）のように開放位置で維持されることになる。
【０１２５】
また、支持部材７３０が退避位置から保持位置に向けて動作したときには、被作用部７２１ａが支持部材７３０に押圧されることで開閉部材７２１が上昇し、再び閉鎖位置に変位する。これにより、上述のように当該閉鎖位置で支持部材７３０に支持され続ける。
【０１２６】
また、本実施形態で用いられる開閉部材７２１は、第１実施形態のような端部２１ｅが設けられておらず、長手方向において回転軸Ｇ１を基点とする被作用部６２１ａとは反対側に延出部が設けられていないため（即ち、回転軸Ｇ１付近が開閉部材７２１の長手方向端部となっているため）、開閉部材７２１が閉鎖位置にある状態（即ち、図２７（Ａ）、図３０（Ｂ）のように開閉部材７２１の先端部７２１ｈが所定位置（壁部７５１ａに隣接する位置）で保持される状態）から、当該先端部７２１ｈを上方に移動させる持ち上げ操作がなされたときに、回転軸Ｇ１よりも長手方向所定側（被作用部７２１ａとは反対側）に位置する部分がコイル部４１やその周囲の壁部などに当接せず、開閉部材７２１の先端部７２１ｈが閉鎖位置のときよりも上方側に移動し得るように回動可能となっている（図２７（Ｂ），図３１（Ｂ））。そして、このように開閉部材７２１の先端部７２１ｈが上方側に移動して図３１（Ｂ）のように回動限界位置まで回動したときには、遊技球が１球通過可能となる開口幅で誘導口７２０が開口するようになっている。具体的には、例えば、図３１（Ｂ）のような回動限界位置のときに、開閉部材７２１が撓み変形していない状態であっても、開閉部材７２１の先端部７２１ｈと壁部７５１ａとの距離が遊技球の直径以上となるように構成されている。なお、図３１（Ｂ）の例では、開閉部材７２１の回動中心（即ち、回動軸Ｇ１）が壁部７５２ａの下方（具体的には、壁部７５２ａにおける誘導口７２０側の端部付近の下方）に配置されており、図３１（Ｂ）のように開閉部材７２１が閉鎖位置にあるときには、閉鎖部７２１ｂにおける壁部７５２ａ側の端部７２１ｇが、壁部７５２ａと所定距離を隔てて当該壁部７５２ａの端部側方に対向配置されるようになっている。そして、図３１（Ｂ）のように開閉部材７２１の先端部７２１ｈが所定位置まで持ち上げられたときには、その端部７２１ｇが壁部７５２ａ側に接近して壁部７５２ａの端部に当接し、このときにそれ以上の回動（先端部７２１ｈをそれ以上上方側に移動させる回動）が規制されることになる。本構成では、このように開閉部材７２１の先端部７２１ｈが上方側に持ち上げられたときにその一部が他部材（図３１の例では壁部７５２ａ）に当接してそれ以上の回動が規制される位置が「回動限界位置」となる。
【０１２７】
このように開閉部材７２１が閉鎖位置のときよりも上方側に持ち上げられ、図３１（Ｂ）のように遊技球の直径以上の開口幅で誘導口７２０が開口したときには、突出部７２１ｃは、当該開口を介して導入される遊技球を誘導する誘導壁として機能するようになっている。具体的には、図３１（Ｂ）のような回動限界位置のときに突出部７２１ｃが下方側に突出した状態で配され、このとき、開閉部材７２１の先端部７２１ｈと壁部７５１ａとの距離が遊技球の直径以上で維持されると共に、突出部７２１ｃの先端部と壁部７５１ａとの距離が遊技球の直径以上で維持される。このように構成されているため、導入される遊技球が突出部７２１ｃに当たりやすく、コイル部４１側に導かれにくくなり、下方側に導かれ易くなる。特に、図３１（Ｂ）に示す回動限界位置のときに、第２内側部材７８５の誘導路７６０を構成する部分におけるソレノイド側の立壁７８５ａ（図３１（Ｂ）に示す状態において支持部材３０が当接する立壁）の上端部と、被作用部７２１ａとの間隔が、遊技球の直径よりも狭くなっているため、遊技球がコイル部４１側に入り込まないようになっている。
【０１２８】
なお、上記の例では、開閉部材７２１の先端部７２１ｈが上方側に移動して回動限界位置まで回動したとき、当該開閉部材７２１が撓み変形していない場合であっても遊技球の直径以上の開口幅で誘導口７２０が開口するようになっているが、開閉部材７２１の先端部７２１ｈが上方側に移動して回動限界位置まで回動したとき、当該開閉部材７２１が撓み変形していないときには、遊技球が導入困難（不能）となる開口幅で誘導口７２０が開口するようにしてもよい。そして、開閉部材７２１が回動限界位置において更に上方側に撓み変形したときに、遊技球が１球導入可能となる開口幅となるようにしてもよい。この場合、開閉部材７２１の先端部７２１ｈが上方側に移動して回動限界位置まで回動したとき、当該開閉部材７２１が撓み変形していないときには、突出部７２１ｃの先端部と壁部７５１ａとの距離が遊技球の直径未満となり、回動限界位置において更に開閉部材７２１が撓み変形したときに突出部７２１ｃの先端部と壁部７５１ａとの距離が遊技球の直径以上となる。
【０１２９】
［他の実施形態］
本発明は上記記述及び図面によって説明した実施形態に限定されるものではなく、例えば次のような実施形態も本発明の技術的範囲に含まれる。
【０１３０】
第１〜第５実施形態では、開閉部材２１は、前飾り板８４ａと台板８２ａとによって固定される軸部材２２を開閉部材２１とは別体に形成していたが、開閉部材２１と軸部材２２とをインサート成形等によって一体的に形成してもよい。これにより、開閉部材２１と軸部材２２との間で摩耗等が生じなくなり、摩耗等に起因して開閉部材２１が正常に開閉動作しなくなることを防止することができる。また、組み立て時のクリアランスを考慮する必要がなくなるので、がたつき等を効果的に軽減することができる。また、第６、第７実施形態でも同様の構成とすることができる。
【０１３１】
第４実施形態では、支持部材４３０を回動可能に構成したが、この支持部材４３０を直線的にスライドする構成としてもよい。例えば、遊技盤の盤面に直交する方向に直線的にスライドする構成であってもよい。
【０１３２】
上記実施形態では、ソレノイドの配置の一例を示したが、ソレノイドの配置は上記実施形態に限定されるものではなく、例えば遊技盤の厚さ内に配置してもよく、遊技盤よりも後方側に一部を配置させるようにしてもよい。ソレノイドをやや後方に配置すると、ソレノイドの前方側にある程度スペースができるため、このスペースを利用してＬＥＤ等の発光部品を実装した基板を配置するようにしてもよい。
【０１３３】
上記実施形態では、球検出部の配置の一例を示したが、球検出部の配置は上記実施形態に限定されるものではなく、例えば遊技盤の厚さ内に配置してもよく、遊技盤よりも後方側に一部を配置させるようにしてもよい。或いは、球検出部を省略するようにしてもよい。
【０１３４】
上記実施形態では、開閉部材２１が回動軸Ｇ１によって回動する構成を例示したが、開閉部材が上下にスライド昇降する構成であってもよい。
【符号の説明】
【０１３５】
１…遊技機
２…遊技盤
２ａ…盤面
１０，２００，３００，４００，５００，６００，７００…遊技機用可変入賞装置
２０，６２０，７２０…誘導口
２１，６２１，７２１…開閉部材
２１ａ，６２１ａ，７２１ａ…被作用部
２１ｂ，６２１ｂ，７２１ｂ…閉鎖部
２１ｃ，６２１ｃ…下方突出部
２３ａ，２３ｂ…テーパ部
３０，４３０，６３０…支持部材
３１，４３１…支持部（作用部）
４０…ソレノイド（駆動手段）
４１…コイル部（駆動手段）
４２…プランジャ（駆動手段）
４３…ばね部材（付勢手段）
５０…誘導樋
５１…下流側誘導樋
５１ｂ…下面部
５２…上流側誘導樋
６０…誘導路
６０ａ…排出部
６２…球検出部
６２ａ…遊技球通過孔
６２ｂ…上面部
６２ｃ…下面部
７０…ガイド部材
７０ａ…ガイド部
７２…延出部
８０，６８０，７８０…筐体
８１…保持壁
８１ａ…リブ
８２，６８２，７８２…台板部材
８２ａ，６８２ａ，７８２ａ…台板
８４，６８４，７８４…前飾り部材
８４ａ，６８４ａ，７８４ａ…前飾り板
６２１ｅ…ストッパー
６３１…先端部（作用部）
Ｂ…遊技球
Ｇ１…回動軸
Ｇ２…揺動軸線
【図１】
0005911054.tif 000002
【図２】
0005911054.tif 000003
【図３】
0005911054.tif 000004
【図４】
0005911054.tif 000005
【図５】
0005911054.tif 000006
【図６】
0005911054.tif 000007
【図７】
0005911054.tif 000008
【図８】
0005911054.tif 000009
【図９】
0005911054.tif 000010
【図１０】
0005911054.tif 000011
【図１１】
0005911054.tif 000012
【図１２】
0005911054.tif 000013
【図１３】
0005911054.tif 000014
【図１４】
0005911054.tif 000015
【図１５】
0005911054.tif 000016
【図１６】
0005911054.tif 000017
【図１７】
0005911054.tif 000018
【図１８】
0005911054.tif 000019
【図１９】
0005911054.tif 000020
【図２０】
0005911054.tif 000021
【図２１】
0005911054.tif 000022
【図２２】
0005911054.tif 000023
【図２３】
0005911054.tif 000024
【図２４】
0005911054.tif 000025
【図２５】
0005911054.tif 000026
【図２６】
0005911054.tif 000027
【図２７】
0005911054.tif 000028
【図２８】
0005911054.tif 000029
【図２９】
0005911054.tif 000030
【図３０】
0005911054.tif 000031
【図３１】
0005911054.tif 000032